(57)【要約】【課題】競技大会運営システム、競技大会認証処理システム、競技大会申込処理システム、競技大会受付処理システム、競技大会記録処理システム、競技大会取材処理システム及び各処理を行うサーバを提供する。【解決手段】大会関係者は携帯電話２に通信補助装置１を接続して、サーバ３へインターネット６を介して接続し、実施したい処理のプログラムをダウンロードする。尚、通信補助装置１には会員ＩＤが記憶されており、サーバ３へ送信され、プログラムと共に返送されて携帯電話２にプログラムと共に記憶される。例えば競技結果の記録を行う記録処理では、携帯電話２で記録処理プログラムを起動し、パスワードを入力して、記録処理プログラムと共に記憶された会員ＩＤとパスワードを送信する。パスワードが認証されると記録画面が表示されるので、結果を入力して送信する。サーバ３では受信した結果を記憶する。【選択図】  図１
2004240602.tif 000002
【特許請求の範囲】
【請求項１】
携帯情報端末とサーバとがネットワークを介して接続され、競技大会において本人であるかを確認する認証処理を行う認証処理プログラムを前記サーバからダウンロードして前記携帯情報端末で実行させることにより、本人の確認を行う競技大会認証処理システムであって、
前記携帯情報端末は、
前記競技大会に参加する個人又はグループを特定するための情報である第１特定情報を記憶する第１特定情報記憶手段と、
前記認証処理プログラムの指示により、個人又はグループを認証するための第１認証情報を入力する認証情報入力手段と、
当該認証情報入力手段で入力された前記第１認証情報及び前記第１特定情報記憶手段に記憶された前記第１特定情報を前記サーバへ送信する第１情報送信手段と、
前記サーバから送信された個人又はグループの認証結果を受信する認証結果受信手段と
を備え、
前記サーバは、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末の前記第１情報送信手段から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する認証判定手段と、
当該認証判定手段が判定した認証結果を前記携帯情報端末の前記認証結果受信手段へ送信する認証結果送信手段と
を備えたことを特徴とする競技大会認証処理システム。
【請求項２】
前記サーバは、
前記第２特定情報に対応して、個人若しくはグループが写された画像データ又はグループを示す図柄が写された画像データを記憶する画像データ記憶手段と、
前記認証判定手段で一致すると判定された場合に、前記認証判定手段で判定された第２特定情報に対応して前記画像データ記憶手段に記憶されている前記画像データを送信する画像データ送信手段と
を備えたことを特徴とする請求項１に記載の競技大会認証処理システム。
【請求項３】
前記第２特定情報及び前記第１特定情報は、個人の氏名、グループの名称又は個人若しくはグループ毎に割り当てられたＩＤ記号の内の少なくとも１つであることを特徴とする請求項１又は２のいずれかに記載の競技大会認証処理システム。
【請求項４】
前記第１認証情報及び前記第２認証情報は、複数の文字若しくは数字から成るパスワードであることを特徴とする請求項１乃至３のいずれかに記載の競技大会認証処理システム。
【請求項５】
携帯情報端末とサーバとがネットワークを介して接続され、個人又はグループの競技大会への参加の申込をする申込処理を行う申込処理プログラムを前記サーバからダウンロードして前記携帯情報端末で実行させることにより、競技大会への参加申込の受付を行う競技大会申込処理システムであって、前記携帯情報端末は、
前記競技大会に参加する個人又はグループを特定するための情報である第１特定情報を記憶する第１特定情報記憶手段と、
前記申込処理プログラムの指示により、個人又はグループを認証するための第１認証情報を入力する認証情報入力手段と、
当該認証情報入力手段で入力された前記第１認証情報及び前記第１特定情報記憶手段に記憶された前記第１特定情報を前記サーバへ送信する第１情報送信手段と、
前記サーバから送信された申込処理が完了したことを示す申込完了情報を受信する申込完了情報受信手段と
を備え、
前記サーバは、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末の前記第１情報送信手段から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する申込認証判定手段と、
競技大会に参加する個人又はグループである大会会員の第１特定情報が記憶されている参加大会会員情報を記憶する参加大会会員記憶手段と、
前記申込認証判定手段で一致すると判定された場合に、前記参加大会会員記憶手段に記憶されている前記参加大会会員情報に前記第１情報受信手段が受信した前記第１特定情報を追加記憶する申込手段と、
当該申込手段による前記参加大会会員情報への追加記憶が行われた際に、前記申込完了情報を前記携帯情報端末の前記申込完了情報受信手段へ送信する申込完了情報送信手段と
を備えたことを特徴とする競技大会申込処理システム。
【請求項６】
前記第２特定情報及び前記第１特定情報は、個人の氏名、グループの名称又は個人若しくはグループ毎に割り当てられたＩＤ記号の内の少なくとも１つであることを特徴とする請求項５に記載の競技大会申込処理システム。
【請求項７】
前記第１認証情報及び前記第２認証情報は、複数の文字若しくは数字から成るパスワードであることを特徴とする請求項５又は６に記載の競技大会申込処理システム。
【請求項８】
携帯情報端末とサーバとがネットワークを介して接続され、競技大会において当日の個人又はグループの参加の受付を行う本人であるかを確認する受付処理を行う受付処理プログラムを前記サーバからダウンロードして前記携帯情報端末で実行させることにより、大会当日の受付を行う競技大会受付処理システムであって、
前記携帯情報端末は、
前記競技大会に参加する個人又はグループを特定するための情報である第１特定情報を記憶する第１特定情報記憶手段と、
前記受付処理プログラムの指示により、個人又はグループを認証するための第１認証情報を入力する認証情報入力手段と、
当該認証情報入力手段で入力された前記第１認証情報及び前記第１特定情報記憶手段に記憶された前記第１特定情報を前記サーバへ送信する第１情報送信手段と、
前記サーバから送信された受付処理が完了したことを示す受付完了情報を受信する受付完了情報受信手段と
を備え、
前記サーバは、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末の前記第１情報送信手段から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する受付認証判定手段と、
競技大会に関係する個人又はグループである大会会員が受付処理を行ったか否かの情報が、前記第２特定情報に対応して記憶されている受付情報を記憶する受付情報記憶手段と、
前記受付認証判定手段で一致すると判定された場合に、前記受付認証判定手段で判定された前記第２特定情報及び前記第１特定情報に対応して前記受付情報記憶手段に記憶されている前記受付情報に、受付処理が行われたことを記憶する受付手段と、
当該受付手段による前記受付情報への記憶が行われた際に、前記受付完了情報を前記携帯情報端末の前記受付完了情報受信手段へ送信する受付完了情報送信手段と
を備えたことを特徴とする競技大会受付処理システム。
【請求項９】
前記第２特定情報及び前記第１特定情報は、個人の氏名、グループの名称又は個人若しくはグループ毎に割り当てられたＩＤ記号の内の少なくとも１つであることを特徴とする請求項８に記載の競技大会受付処理システム。
【請求項１０】
前記第１認証情報及び前記第２認証情報は、複数の文字若しくは数字から成るパスワードであることを特徴とする請求項８又は９に記載の競技大会受付処理システム。
【請求項１１】
携帯情報端末とサーバとがネットワークを介して接続され、競技大会における競技の結果を記録する記録処理を行う記録処理プログラムを前記サーバからダウンロードして前記携帯情報端末で実行させることにより、競技の結果を記録する競技大会記録処理システムであって、
前記携帯情報端末は、
前記競技大会に参加する個人又はグループを特定するための情報である第１特定情報を記憶する第１特定情報記憶手段と、
前記記録処理プログラムの指示により、個人又はグループを認証するための第１認証情報を入力する認証情報入力手段と、
当該認証情報入力手段で入力された前記第１認証情報及び前記第１特定情報記憶手段に記憶された前記第１特定情報を前記サーバへ送信する第１情報送信手段と、
競技の結果である競技結果を入力する競技結果入力画面を表示するための競技情報入力画面情報を前記サーバから受信する競技結果入力画面情報受信手段と、
当該競技結果入力画面情報受信手段が受信した前記競技結果入力画面情報に基づいて前記競技結果入力画面を表示する競技結果入力画面表示手段と、
当該競技結果入力画面表示手段が表示している前記競技結果入力画面に競技結果を入力する競技結果入力手段と、
当該競技結果入力手段で入力された前記競技結果を前記サーバへ送信する競技結果送信手段と
を備え、
前記サーバは、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記第１情報送信手段から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する記録認証判定手段と、
当該記録認証判定手段が一致すると判定した場合に、前記競技結果入力画面情報を前記競技結果入力画面情報受信手段へ送信する競技結果入力画面情報送信手段と、
競技大会の競技に関する情報であり、少なくとも前記競技結果を含む競技情報を記憶する競技情報記憶手段と、
前記競技結果送信手段から送信された前記競技結果を受信する競技結果受信手段と、
当該競技結果受信手段が受信した前記競技結果を前記競技情報記憶手段に追加記憶する競技結果反映手段と
を備えたことを特徴とする競技大会記録処理システム。
【請求項１２】
前記第２特定情報及び前記第１特定情報は、個人の氏名、グループの名称又は個人若しくはグループ毎に割り当てられたＩＤ記号の内の少なくとも１つであることを特徴とする請求項１１に記載の競技大会記録処理システム。
【請求項１３】
前記第１認証情報及び前記第２認証情報は、複数の文字若しくは数字から成るパスワードであることを特徴とする請求項１１又は１２に記載の競技大会記録処理システム。
【請求項１４】
前記サーバは、前記競技結果をインターネット上で閲覧可能なホームページデータに加工する競技結果ページ加工手段を備えたことを特徴とする請求項１１乃至１３のいずれかに記載の競技大会記録処理システム。
【請求項１５】
前記サーバは、前記競技結果を予め登録されているメールアドレスへインターネットを介して配信可能な電子メールデータへ加工する競技結果メール加工手段を備えたことを特徴とする請求項１１乃至１４のいずれかに記載の競技大会記録処理システム。
【請求項１６】
携帯情報端末とサーバとがネットワークを介して接続され、競技大会の模様を取材した取材情報を記録する取材処理を行う取材処理プログラムを前記サーバからダウンロードして前記携帯情報端末で実行させることにより、競技大会の模様を取材する競技大会取材処理システムであって、
前記携帯情報端末は、
前記競技大会に参加する個人又はグループを特定するための情報である第１特定情報を記憶する第１特定情報記憶手段と、
前記取材処理プログラムの指示により、個人又はグループを認証するための第１認証情報を入力する認証情報入力手段と、
当該認証情報入力手段で入力された前記第１認証情報及び前記第１特定情報記憶手段に記憶された前記第１特定情報を前記サーバへ送信する第１情報送信手段と、
前記サーバから送信された個人又はグループの認証結果を受信する認証結果受信手段と、
前記取材情報を入力する取材情報入力画面を表示するための取材情報入力画面情報を前記サーバから受信する取材情報入力画面情報受信手段と、
当該取材情報入力画面情報受信手段が受信した前記取材情報入力画面情報に基づいて前記取材情報入力画面を表示する取材情報入力画面表示手段と、
当該取材情報入力画面表示手段が表示している前記取材情報入力画面情報に取材情報を入力する取材情報入力手段と、
当該取材情報入力手段で入力された前記取材情報を前記サーバへ送信する取材情報送信手段と
を備え、
前記サーバは、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末の前記第１情報送信手段から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する取材認証判定手段と、
当該取材認証判定手段が一致すると判定した場合に、取材情報入力画面情報を前記携帯情報端末の前取材情報入力画面受信手段へ送信する取材情報入力画面送信手段と、
前記携帯情報端末の前記取材情報送信手段から送信された前記取材情報を受信する取材情報受信手段と、
当該取材情報受信手段が受信した前記取材情報を記憶する取材情報記憶手段と
を備えたことを特徴とする競技大会取材処理システム。
【請求項１７】
前記第２特定情報及び前記第１特定情報は、個人の氏名、グループの名称又は個人若しくはグループ毎に割り当てられたＩＤ記号の内の少なくとも１つであることを特徴とする請求項１６に記載の競技大会取材処理システム。
【請求項１８】
前記第１認証情報及び前記第２認証情報は、複数の文字若しくは数字から成るパスワードであることを特徴とする請求項１６又は１７に記載の競技大会取材処理システム。
【請求項１９】
前記取材情報は、文字データ、画像データ、動画データ又は音声データのうちの少なくとも１つであることを特徴とする請求項１６乃至１８のいずれかに記載の競技大会取材処理システム。
【請求項２０】
前記サーバは、前記取材情報をインターネット上で閲覧可能なホームページデータに加工する取材情報ページ加工手段を備えたことを特徴とする請求項１６乃至１９のいずれかに記載の競技大会取材処理システム。
【請求項２１】
前記サーバは、前記取材情報を予め登録されているメールアドレスへインターネットを介して配信可能な電子メールデータへ加工する取材情報メール加工手段を備えたことを特徴とする請求項１６乃至２０のいずれかに記載の競技大会取材処理システム。
【請求項２２】
携帯情報端末とサーバとがネットワークを介して接続され、前記携帯情報端末の接続先のアドレスを記憶した通信補助装置が前記携帯情報端末に接続可能であり、前記携帯情報端末の操作により競技大会の運営を行う競技大会運営システムであって、
前記サーバは、
前記競技大会に参加する個人又はグループを特定するための情報である第２特定情報を記憶する第２特定情報記憶手段と、
当該第２特定情報記憶手段に記憶されている前記第２特定情報に対応して、その個人又はグループが少なくとも競技者又はスタッフのいずれかであるかの種別を記憶する種別記憶手段と、
前記競技大会の運営のために、前記携帯情報端末上で実行される携帯情報端末プログラムを記憶するサーバ側プログラム記憶手段と、
前記携帯情報端末から送信された、前記競技大会に参加する個人又はグループを特定するための情報である第３特定情報を受信する第３特定情報受信手段と、
当該第３特定情報受信手段が受信した前記第３特定情報が予め前記第２特定情報記憶手段に記憶されている前記第２特定情報と一致するか否かを判定する特定情報判定手段と、
当該特定情報判定手段で一致すると判定された場合に、１つ又は複数の処理から１つの処理を選択可能な選択画面で選択肢となる処理を、前記種別記憶手段で前記第３特定情報に対応して記憶されている種別により決定する処理決定手段と、
当該処理決定手段が決定した処理を選択肢とした前記選択画面を表示するための選択画面情報を作成する選択画面情報作成手段と、
当該選択画面情報作成手段が作成した前記選択画面情報を前記携帯情報端末へ送信する選択画面情報送信手段と、
前記携帯情報端末において前記選択画面で選択され、送信された選択結果を受信する選択結果受信手段と、
当該選択結果受信手段が受信した前記選択結果に基づいて前記サーバ側プログラム記憶手段に記憶されている前記携帯情報端末プログラムを前記携帯情報端末へ送信するプログラム送信手段と
を備え、
前記通信補助装置は、
前記サーバに接続することを前記携帯情報端末に指示する接続指示信号を記憶する接続指示信号記憶手段と、
前記第３特定情報を記憶する第３特定情報記憶手段と、
前記接続指示信号記憶手段に記憶されている前記接続指示信号及び前記第３特定情報記憶手段に記憶されている前記第３特定情報を前記携帯情報端末へ出力する出力手段と
を備え、
前記携帯情報端末は、
前記出力手段から出力された前記接続指示信号及び前記第３特定情報を受信する通信補助情報受信手段と、
当該通信補助情報受信手段が受信した前記接続指示信号に従い、前記サーバへ前記ネットワークを介して接続するサーバ接続制御手段と、
前記通信補助情報受信手段が受信した前記第３特定情報を前記サーバの前記第３特定情報受信手段へ送信する第３特定情報送信手段と、
前記サーバの前記選択画面情報送信手段から送信された前記選択画面情報に基づいて前記選択画面を表示する選択画面表示手段と、
当該選択画面表示手段が表示している前記選択画面において選択肢となっている処理から１つの処理を選択する選択手段と、
当該選択手段で選択された選択結果を前記サーバの前記選択結果受信手段へ送信する選択結果送信手段と、
前記サーバの前記プログラム送信手段から送信された前記携帯情報端末プログラムを受信するプログラム受信手段と、
当該プログラム受信手段が受信した前記携帯情報端末プログラムを記憶する携帯情報端末側プログラム記憶手段と、
当該携帯情報端末側プログラム記憶手段に記憶されている前記携帯情報端末プログラムを実行するプログラム実行手段と
を備えたことを特徴とする競技大会運営システム。
【請求項２３】
前記第２特定情報及び前記第３特定情報は、個人の氏名、グループの名称又は個人若しくはグループ毎に割り当てられたＩＤ記号の内の少なくとも１つであることを特徴とする請求項２２に記載の競技大会運営システム。
【請求項２４】
前記携帯情報端末プログラムは、請求項１乃至４に記載の前記認証処理プログラム、請求項５乃至７に記載の前記申込処理プログラム、請求項８乃至１０に記載の前記受付処理プログラム、請求項１１乃至１５に記載の前記記録処理プログラム、又は、請求項１６乃至２１に記載の前記取材処理プログラムのうちの少なくとも１つであることを特徴とする請求項２２又は２３に記載の競技大会運営システム。
【請求項２５】
携帯情報端末に接続され、競技大会において本人であるかを確認する認証処理を行う認証処理プログラムが前記携帯情報端末で実行されることにより競技大会における本人の確認を行うサーバであって、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末から送信された前記第１認証情報と前記第１特定情報とを受信する第１情報受信手段と、
当該第１情報受信手段が受信した個人又はグループを認証するための第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する認証判定手段と、
当該認証判定手段が判定した認証結果を前記携帯情報端末へ送信する認証結果送信手段と
を備えたことを特徴とするサーバ。
【請求項２６】
前記第２特定情報に対応して、個人若しくはグループが写された画像データ又はグループを示す図柄が写された画像データを記憶する画像データ記憶手段と、
前記認証判定手段で一致すると判定された場合に、前記認証判定手段で判定された第２特定情報に対応して前記画像データ記憶手段に記憶されている前記画像データを送信する画像データ送信手段と
を備えたことを特徴とする請求項２５に記載のサーバ。
【請求項２７】
携帯情報端末とサーバとがネットワークを介して接続され、個人又はグループの競技大会への参加の申込をする申込処理を行う申込処理プログラムを前記携帯情報端末で実行させることにより、競技大会への参加申込の受付を行うサーバであって、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末から送信された前記第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する申込認証判定手段と、
競技大会に参加する個人又はグループである大会会員の第１特定情報が記憶されている参加大会会員情報を記憶する参加大会会員記憶手段と、
前記申込認証判定手段で一致すると判定された場合に、前記参加大会会員記憶手段に記憶されている前記参加大会会員情報に前記第１情報受信手段が受信した前記第１特定情報を追加記憶する申込手段と、
当該申込手段による前記参加大会会員情報への追加記憶が行われた際に、前記申込完了情報を前記携帯情報端末へ送信する申込完了情報送信手段と
を備えたことを特徴とするサーバ。
【請求項２８】
携帯情報端末とサーバとがネットワークを介して接続され、競技大会において当日の個人又はグループの参加の受付を行う本人であるかを確認する受付処理を行う受付処理プログラムを前記携帯情報端末で実行させることにより、大会当日の受付を行うサーバであって、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末から送信された個人又はグループを認証するための第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する受付認証判定手段と、
競技大会に関係する個人又はグループである大会会員が受付処理を行ったか否かの情報が、前記第２特定情報に対応して記憶されている受付情報を記憶する受付情報記憶手段と、
前記受付認証判定手段で一致すると判定された場合に、前記受付認証判定手段で判定された前記第２特定情報及び前記第１特定情報に対応して前記受付情報記憶手段に記憶されている前記受付情報に、受付処理が行われたことを記憶する受付手段と、
当該受付手段による受付情報記憶手段に記憶されている前記受付情報への記憶が行われた際に、前記受付完了情報を前記携帯情報端末へ送信する受付完了情報送信手段と
を備えたことを特徴とするサーバ。
【請求項２９】
携帯情報端末とサーバとがネットワークを介して接続され、競技大会における競技の結果を記録する記録処理を行う記録処理プログラムを前記携帯情報端末で実行させることにより、競技の結果を記録するサーバであって、
前記競技大会に参加する個人又はグループを特定するための情報である第２特定情報を記憶する第２特定情報記憶手段と、
前記第２特定情報に対応して、個人又はグループを認証するための第２認証情報を記憶する認証情報記憶手段と、
前記携帯情報端末から送信された個人又はグループを認証するための第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する記録認証判定手段と、
当該記録認証判定手段が判定した認証結果を前記携帯情報端末へ送信する認証結果送信手段と、
競技大会の競技に関する情報であり、少なくとも前記競技結果を含む競技情報を記憶する競技情報記憶手段と、
前記競技結果送信手段から送信された前記競技結果を受信する競技結果受信手段と、
当該競技結果受信手段が受信した前記競技結果を前記競技情報記憶手段に追加記憶する競技結果反映手段と
を備えたことを特徴とするサーバ。
【請求項３０】
取材処理プログラムを実行可能な携帯情報端末がネットワークを介して接続し、前記携帯情報端末で取材処理プログラムが実行されることにより競技大会の模様を取材した取材情報を記録する取材処理を実施するサーバであって、
前記第２特定情報に対応して、個人又はグループを認証するための第２認証情報を記憶する認証情報記憶手段と、
前記携帯情報端末から送信された個人又はグループを認証するための第１認証情報と前記第１特定情報とを受信する第１情報受信手段と、
当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する取材認証判定手段と、
前記取材情報送信手段から送信された前記取材情報を受信する取材情報受信手段と、
当該取材情報受信手段が受信した前記取材情報を記憶する取材情報記憶手段と
を備えたことを特徴とするサーバ。
【請求項３１】
携帯情報端末にネットワークを介して接続され、前記携帯情報端末からの操作により競技大会の運営を行うサーバであって、
前記競技大会に参加する個人又はグループを特定するための情報である第２特定情報を記憶する第２特定情報記憶手段と、
当該第２特定情報記憶手段に記憶されている前記第２特定情報に対応して、その個人又はグループが少なくとも競技者又はスタッフのいずれかであるかの種別を記憶する種別記憶手段と、
前記競技大会の運営のために、前記携帯情報端末上で実行される携帯情報端末プログラムを記憶するサーバ側プログラム記憶手段と、
前記携帯情報端末から送信された、前記競技大会に参加する個人又はグループを特定するための情報である第３特定情報を受信する第３特定情報受信手段と、
当該第３特定情報受信手段が受信した前記第３特定情報が予め前記第２特定情報記憶手段に記憶されている前記第２特定情報と一致するか否かを判定する特定情報判定手段と、
当該特定情報判定手段で一致すると判定された場合に、１つ又は複数の処理から１つの処理を選択可能な選択画面で選択肢となる処理を、前記種別記憶手段で前記第３特定情報に対応して記憶されている種別により決定する処理決定手段と、
当該処理決定手段が決定した処理を選択肢とした前記選択画面を表示するための選択画面情報を作成する選択画面情報作成手段と、
当該選択画面情報作成手段が作成した前記選択画面情報を前記携帯情報端末へ送信する選択画面情報送信手段と、
前記携帯情報端末において前記選択画面で選択され、送信された選択結果を受信する選択結果受信手段と、
当該選択結果受信手段が受信した前記選択結果に基づいて前記サーバ側プログラム記憶手段に記憶されている前記携帯情報端末プログラムを前記携帯情報端末へ送信するプログラム送信手段と
を備えたことを特徴とするサーバ。
【請求項３２】
前記取材情報は、文字データ、画像データ、動画データ又は音声データのうちの少なくとも１つであることを特徴とする請求項３０に記載のサーバ。
【請求項３３】
前記競技結果又は前記取材結果をインターネット上で閲覧可能なホームページデータに加工するページ加工手段を備えたことを特徴とする請求項２９又は３０に記載のサーバ。
【請求項３４】
前記競技結果又は前記取材結果を予め登録されているメールアドレスへインターネットを介して配信可能な電子メールデータへ加工するメール加工手段を備えたことを特徴とする請求項２９又は３０に記載のサーバ。
【請求項３５】
前記第１特定情報、前記第２特定情報及び前記第３特定情報は、個人の氏名、グループの名称又は個人若しくはグループ毎に割り当てられたＩＤ記号の内の少なくとも１つであることを特徴とする請求項２５乃至３１のいずれかに記載のサーバ。
【請求項３６】
前記第１認証情報及び前記第２認証情報は、複数の文字若しくは数字から成るパスワードであることを特徴とする請求項２５乃至３０のいずれかに記載のサーバ。
【請求項３７】
前記携帯情報端末プログラムは、請求項２５に記載の前記認証処理プログラム、請求項２７に記載の前記申込処理プログラム、請求項２８に記載の前記受付処理プログラム、請求項２９に記載の前記記録処理プログラム、又は、請求項３０に記載の前記取材処理プログラムのうちの少なくとも１つであることを特徴とする請求項３１に記載のサーバ。
【発明の詳細な説明】
【０００１】
【発明の属する技術分野】
本発明は、競技大会運営システム、競技大会認証処理システム、競技大会申込処理システム、競技大会受付処理システム、競技大会記録処理システム、競技大会取材処理システム及びサーバに関し、詳細には、携帯情報端末とサーバとをネットワークを介して接続して、競技大会を運営における本人確認を行う認証処理、競技大会への申し込みを行う申込処理、競技大会への当日の参加受付を行う受付処理、競技結果を記録する記録処理、競技模様を取材した取材情報と登録する取材処理を行う競技大会運営システム、競技大会認証処理システム、競技大会申込処理システム、競技大会受付処理システム、競技大会記録処理システム、競技大会取材処理システム及びサーバに関する。
【０００２】
【従来の技術】
従来より、バスケットボール大会、野球大会、マラソン大会、剣道大会、トライアスロン大会等様々なスポーツの競技大会が開催されている。また、スポーツに限らず、囲碁大会、将棋大会、合唱大会、美容師技能大会等、様々な分野での競技大会が開催されている。これらの競技大会を運営するにあたっては、主に次のような実務が必要となる。まず、競技大会主催者側が、パンフレットを作成したり、雑誌や広報への掲載の依頼をしたり、ダイレクトメールを郵送したりして、世間一般へ競技大会開催を知らせ、参加者を募る（募集）。次に、競技大会に参加したい者が、申込用紙に記入事項を記載して、郵送したり、窓口へ提出したりして、申し込みをする（申込）。そして、申し込みを締め切った後に、競技大会会場のスペースや使用時間を考慮して試合数を決定し、組み合わせや試合順を等の進行計画を立てる（計画）。そして、大会当日、競技大会が行われる（実施）。さらに、競技大会実施中には係員が経過を記録用紙に記入したり、競技大会終了後には、最終的な競技結果が記録される（記録）。そして、競技結果は、競技大会終了後の閉会式等で口頭にて伝えられたり、後日、雑誌や広報等の出版物により、大会参加者や世間一般に報知される（結果報知）。
【０００３】
これらの実務は、主に手作業で行われているのが現状である。しかし、近年のコンピュータやインターネットの普及に伴い、手間を省くために機械化されている処理もある。インターネットのホームページ上で競技大会の開催の案内が行われている競技大会も少なくない。また、結果報知も同様にホームページ上で行われていることもある。また、申し込みを申込用紙の提出を行うことなく、インターネットを経由して行うこともできる（例えば、特許文献１参照）。さらに、インターネットに接続可能な端末からの申込を受け付けたり、競技の計画を立てたり、競技結果の管理を行う大会運営システムもある（例えば、特許文献２参照）。
【０００４】
【特許文献１】
特開２００２−８３０８９号公報
【特許文献２】
特開２０００−２６８０８６号公報
【０００５】
【発明が解決しようとする課題】
しがしながら、競技結果を大会運営システムに入力するためには、端末装置が必要となるため、競技大会終了後、後日データ入力をする必要があった。また、大会開催中にデータをリアルタイムで管理するためには、端末装置を大会会場に持ち込み、環境設定を行い、リアルタイムで競技結果を入力しなければならないという問題点がある。また、競技大会の種類と規模によっては、競技会場が多数ある場合には、端末装置が１台しかないと競技結果を各会場の係員が用紙に記入し、端末装置の設置場所へ回収し、入力する係員が用紙を見て入力することになる。これでは、用紙に記入する手間を省くことができない。これを回避するためには、各会場に端末装置を設置しなければならず、それには費用が大きくなるという問題点がある。また、当日の受付処理を手作業で行うは、限られた時間内に行わなければならないため混雑したり、用紙への記入ミスが行われたりするという問題点がある。
【０００６】
また、プロの競技大会のように選手の顔が大会係員に知れ渡っている場合を除いて、一般の競技大会では、受付に来ている者が本当の競技者であるか否かを判断することが難しいという問題点がある。例えば、ある参加者が受付終了時刻に間に合いそうにない場合に、その知人が受付処理を行い、実際に競技を行う段階において本人が会場にいないというようなトラブルが発生する。
【０００７】
本発明は、上述の問題点を解決するためになされたものであり、携帯情報端末とサーバとをネットワークを介して接続して、競技大会を運営における本人確認を行う認証処理、競技大会への申し込みを行う申込処理、競技大会への当日の参加受付を行う受付処理、競技結果を記録する記録処理、競技模様を取材した取材情報と登録する取材処理を行う競技大会運営システム、競技大会認証処理システム、競技大会申込処理システム、競技大会受付処理システム、競技大会記録処理システム、競技大会取材処理システム及びサーバを提供することを目的とする。
【０００８】
【課題を解決するための手段】
上記課題を解決するため、請求項１に係る発明の競技大会認証処理システムは、競技大会において本人であるかを確認する認証処理を行う認証処理プログラムを前記サーバからダウンロードして前記携帯情報端末で実行させることにより、本人の確認を行う競技大会認証処理システムであって、前記携帯情報端末は、前記競技大会に参加する個人又はグループを特定するための情報である第１特定情報を記憶する第１特定情報記憶手段と、前記認証処理プログラムの指示により、個人又はグループを認証するための第１認証情報を入力する認証情報入力手段と、当該認証情報入力手段で入力された前記第１認証情報及び前記第１特定情報記憶手段に記憶された前記第１特定情報を前記サーバへ送信する第１情報送信手段と、前記サーバから送信された個人又はグループの認証結果を受信する認証結果受信手段とを備え、前記サーバは、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末の前記第１情報送信手段から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する認証判定手段と、当該認証判定手段が判定した認証結果を前記携帯情報端末の前記認証結果受信手段へ送信する認証結果送信手段とを備えている。
【０００９】
この構成の競技大会認証処理システムでは、携帯情報端末の第１特定情報記憶手段は、競技大会に参加する個人又はグループを特定するための情報である第１特定情報を記憶し、認証情報入力手段は、認証処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、認証結果受信手段は、サーバから送信された個人又はグループの認証結果を受信する。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、認証判定手段が判定した認証結果を携帯情報端末の認証結果受信手段へ送信する。
【００１０】
また、請求項２に係る発明の競技大会認証処理システムでは、請求項１に記載の発明の構成に加えて、前記サーバは、前記第２特定情報に対応して、個人若しくはグループが写された画像データ又はグループを示す図柄が写された画像データを記憶する画像データ記憶手段と、前記認証判定手段で一致すると判定された場合に、前記認証判定手段で判定された第２特定情報に対応して前記画像データ記憶手段に記憶されている前記画像データを送信する画像データ送信手段とを備えたことを特徴とする構成となっている。
【００１１】
この構成の競技大会認証処理システムでは、請求項１に記載の発明の作用に加えて、サーバの画像データ記憶手段は、第２特定情報に対応して、個人若しくはグループが写された画像データ又はグループを示す図柄が写された画像データを記憶し、画像データ送信手段は、認証判定手段で一致すると判定された場合に、認証判定手段で判定された第２特定情報に対応して画像データ記憶手段に記憶されている画像データを送信する。
【００１２】
また、請求項３に係る発明の競技大会認証処理システムでは、請求項１又は２に記載の発明の構成に加えて、前記第２特定情報及び前記第１特定情報は、個人の氏名、グループの名称又は個人若しくはグループ毎に割り当てられたＩＤ記号の内の少なくとも１つであることを特徴とする構成となっている。
【００１３】
この構成の競技大会認証処理システムでは、請求項１又は２に記載の発明の作用に加えて、第２特定情報及び第１特定情報は、個人の氏名、グループの名称又は個人若しくはグループ毎に割り当てられたＩＤ記号の内の少なくとも１つを用いることができる。
【００１４】
また、請求項４に係る発明の競技大会認証処理システムでは、請求項１乃至３のいずれかに記載の発明の構成に加えて、前記第１認証情報及び前記第２認証情報は、複数の文字若しくは数字から成るパスワードであることを特徴とする構成となっている。
【００１５】
この構成の競技大会認証処理システムでは、請求項１乃至３のいずれかに記載の発明の作用に加えて、前記第１認証情報及び前記第２認証情報は、複数の文字若しくは数字から成るパスワードを用いることができる。
【００１６】
また、請求項５に係る発明の競技大会申込処理システムは、携帯情報端末とサーバとがネットワークを介して接続され、個人又はグループの競技大会への参加の申込をする申込処理を行う申込処理プログラムを前記サーバからダウンロードして前記携帯情報端末で実行させることにより、競技大会への参加申込の受付を行う競技大会申込処理システムであって、前記携帯情報端末は、前記競技大会に参加する個人又はグループを特定するための情報である第１特定情報を記憶する第１特定情報記憶手段と、前記申込処理プログラムの指示により、個人又はグループを認証するための第１認証情報を入力する認証情報入力手段と、当該認証情報入力手段で入力された前記第１認証情報及び前記第１特定情報記憶手段に記憶された前記第１特定情報を前記サーバへ送信する第１情報送信手段と、前記サーバから送信された申込処理が完了したことを示す申込完了情報を受信する申込完了情報受信手段とを備え、前記サーバは、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末の前記第１情報送信手段から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する申込認証判定手段と、競技大会に参加する個人又はグループである大会会員の第１特定情報が記憶されている参加大会会員情報を記憶する参加大会会員記憶手段と、前記申込認証判定手段で一致すると判定された場合に、前記参加大会会員記憶手段に記憶されている前記参加大会会員情報に前記第１情報受信手段が受信した前記第１特定情報を追加記憶する申込手段と、当該申込手段による前記参加大会会員情報への追加記憶が行われた際に、前記申込完了情報を前記携帯情報端末の前記申込完了情報受信手段へ送信する申込完了情報送信手段とを備えている。
【００１７】
この構成の競技大会申込処理システムでは、携帯情報端末の第１特定情報記憶手段は、競技大会に参加する個人又はグループを特定するための情報である第１特定情報を記憶し、認証情報入力手段は、申込処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、申込完了情報受信手段は、サーバから送信された申込処理が完了したことを示す申込完了情報を受信する。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、申込認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、参加大会会員記憶手段は、競技大会に参加する個人又はグループである大会会員の第１特定情報が記憶されている参加大会会員情報を記憶し、申込手段は、申込認証判定手段で一致すると判定された場合に、参加大会会員記憶手段に記憶されている参加大会会員情報に第１情報受信手段が受信した第１特定情報を追加記憶し、申込完了情報送信手段は、申込手段による参加大会会員情報への追加記憶が行われた際に、申込完了情報を携帯情報端末の申込完了情報受信手段へ送信する。
【００１８】
また、請求項６に係る発明の競技大会申込処理システムでは、請求項５に記載の発明の構成に加えて、前記第２特定情報及び前記第１特定情報は、個人の氏名、グループの名称又は個人若しくはグループ毎に割り当てられたＩＤ記号の内の少なくとも１つであることを特徴とする構成となっている。
【００１９】
この構成の競技大会申込処理システムでは、請求項５に記載の発明の作用に加えて、第２特定情報及び第１特定情報は、個人の氏名、グループの名称又は個人若しくはグループ毎に割り当てられたＩＤ記号の内の少なくとも１つを用いることができる。
【００２０】
また、請求項項７に係る発明の競技大会申込処理システムでは、請求項５又は６に記載の発明の構成に加えて、前記第１認証情報及び前記第２認証情報は、複数の文字若しくは数字から成るパスワードであることを特徴とする構成となっている。
【００２１】
この構成の競技大会申込処理システムでは、請求項５又は６に記載の発明の作用に加えて、第２認証情報及び第１認証情報は、複数の文字若しくは数字から成るパスワードを用いることができる。
【００２２】
また、請求項８に係る発明の競技大会受付処理システムは、携帯情報端末とサーバとがネットワークを介して接続され、競技大会において当日の個人又はグループの参加の受付を行う本人であるかを確認する受付処理を行う受付処理プログラムを前記サーバからダウンロードして前記携帯情報端末で実行させることにより、大会当日の受付を行う競技大会受付処理システムであって、前記携帯情報端末は、前記競技大会に参加する個人又はグループを特定するための情報である第１特定情報を記憶する第１特定情報記憶手段と、前記受付処理プログラムの指示により、個人又はグループを認証するための第１認証情報を入力する認証情報入力手段と、当該認証情報入力手段で入力された前記第１認証情報及び前記第１特定情報記憶手段に記憶された前記第１特定情報を前記サーバへ送信する第１情報送信手段と、前記サーバから送信された受付処理が完了したことを示す受付完了情報を受信する受付完了情報受信手段とを備え、前記サーバは、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末の前記第１情報送信手段から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する受付認証判定手段と、競技大会に関係する個人又はグループである大会会員が受付処理を行ったか否かの情報が、前記第２特定情報に対応して記憶されている受付情報を記憶する受付情報記憶手段と、前記受付認証判定手段で一致すると判定された場合に、前記受付認証判定手段で判定された前記第２特定情報及び前記第１特定情報に対応して前記受付情報記憶手段に記憶されている前記受付情報に、受付処理が行われたことを記憶する受付手段と、当該受付手段による前記受付情報への記憶が行われた際に、前記受付完了情報を前記携帯情報端末の前記受付完了情報受信手段へ送信する受付完了情報送信手段とを備えている。
【００２３】
この構成の競技大会受付処理システムでは、携帯情報端末の第１特定情報記憶手段は、競技大会に参加する個人又はグループを特定するための情報である第１特定情報を記憶し、認証情報入力手段は、受付処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、受付完了情報受信手段は、サーバから送信された受付処理が完了したことを示す受付完了情報を受信する。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、受付認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、受付情報記憶手段は、競技大会に関係する個人又はグループである大会会員が受付処理を行ったか否かの情報が、第２特定情報に対応して記憶されている受付情報を記憶し、受付手段は、受付認証判定手段で一致すると判定された場合に、受付認証判定手段で判定された第２特定情報及び第１特定情報に対応して受付情報記憶手段に記憶されている受付情報に、受付処理が行われたことを記憶し、受付完了情報送信手段は、受付手段による受付情報への記憶が行われた際に、受付完了情報を携帯情報端末の受付完了情報受信手段へ送信する。
【００２４】
また、請求項９に係る発明の競技大会受付処理システムでは、請求項８に記載の発明の構成に加えて、前記第２特定情報及び前記第１特定情報は、個人の氏名、グループの名称又は個人若しくはグループ毎に割り当てられたＩＤ記号の内の少なくとも１つであることを特徴とする構成となっている。
【００２５】
この構成の競技大会受付処理システムでは、請求項８に記載の発明の作用に加えて、第２特定情報及び第１特定情報は、個人の氏名、グループの名称又は個人若しくはグループ毎に割り当てられたＩＤ記号の内の少なくとも１つを用いることができる。
【００２６】
また、請求項１０に係る発明の競技大会受付処理システムでは、請求項８又は９に記載の発明の構成に加えて、前記第１認証情報及び前記第２認証情報は、複数の文字若しくは数字から成るパスワードであることを特徴とする構成となっている。
【００２７】
この構成の競技大会受付処理システムでは、請求項８又は９に記載の発明の作用に加えて、第２認証情報及び第１認証情報は、複数の文字若しくは数字から成るパスワードを用いることができる。
【００２８】
また、請求項１１に係る発明の競技大会記録処理システムは、携帯情報端末とサーバとがネットワークを介して接続され、競技大会における競技の結果を記録する記録処理を行う記録処理プログラムを前記サーバからダウンロードして前記携帯情報端末で実行させることにより、競技の結果を記録する競技大会記録処理システムであって、前記携帯情報端末は、前記競技大会に参加する個人又はグループを特定するための情報である第１特定情報を記憶する第１特定情報記憶手段と、前記記録処理プログラムの指示により、個人又はグループを認証するための第１認証情報を入力する認証情報入力手段と、当該認証情報入力手段で入力された前記第１認証情報及び前記第１特定情報記憶手段に記憶された前記第１特定情報を前記サーバへ送信する第１情報送信手段と、競技の結果である競技結果を入力する競技結果入力画面を表示するための競技情報入力画面情報を前記サーバから受信する競技結果入力画面情報受信手段と、当該競技結果入力画面情報受信手段が受信した前記競技結果入力画面情報に基づいて前記競技結果入力画面を表示する競技結果入力画面表示手段と、当該競技結果入力画面表示手段が表示している前記競技結果入力画面に競技結果を入力する競技結果入力手段と、当該競技結果入力手段で入力された前記競技結果を前記サーバへ送信する競技結果送信手段とを備え、前記サーバは、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記第１情報送信手段から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する記録認証判定手段と、当該記録認証判定手段が一致すると判定した場合に、前記競技結果入力画面情報を前記競技結果入力画面情報受信手段へ送信する競技結果入力画面情報送信手段と、競技大会の競技に関する情報であり、少なくとも前記競技結果を含む競技情報を記憶する競技情報記憶手段と、前記競技結果送信手段から送信された前記競技結果を受信する競技結果受信手段と、当該競技結果受信手段が受信した前記競技結果を前記競技情報記憶手段に追加記憶する競技結果反映手段とを備えている。
【００２９】
この構成の競技大会記録処理システムでは、携帯情報端末の第１特定情報記憶手段は、競技大会に参加する個人又はグループを特定するための情報である第１特定情報を記憶し、認証情報入力手段は、記録処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、競技結果入力画面情報受信手段は、競技の結果である競技結果を入力する競技結果入力画面を表示するための競技情報入力画面情報をサーバから受信し、競技結果入力画面表示手段は、競技結果入力画面情報受信手段が受信した競技結果入力画面情報に基づいて競技結果入力画面を表示し、競技結果入力手段は、競技結果入力画面表示手段が表示している競技結果入力画面に競技結果を入力し、競技結果送信手段は、競技結果入力手段で入力された競技結果をサーバへ送信する。また、サーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、第１情報送信手段から送信された第１認証情報と第１特定情報とを受信し、記録認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、競技結果入力画面情報送信手段は、記録認証判定手段が一致すると判定した場合に、競技結果入力画面情報を競技結果入力画面情報受信手段へ送信し、競技情報記憶手段は、競技大会の競技に関する情報であり、少なくとも競技結果を含む競技情報を記憶し、競技結果受信手段は、競技結果送信手段から送信された競技結果を受信し、競技結果反映手段は、競技結果受信手段が受信した競技結果を競技情報記憶手段に追加記憶する。
【００３０】
また、請求項１２に係る発明の競技大会記録処理システムでは、請求項１１に記載の発明の構成に加えて、前記第２特定情報及び前記第１特定情報は、個人の氏名、グループの名称又は個人若しくはグループ毎に割り当てられたＩＤ記号の内の少なくとも１つであることを特徴とする構成となっている。
【００３１】
この構成の競技大会記録処理システムでは、請求項１１に記載の発明の作用に加えて、第２特定情報及び第１特定情報は、個人の氏名、グループの名称又は個人若しくはグループ毎に割り当てられたＩＤ記号の内の少なくとも１つを用いることができる。
【００３２】
また、請求項１３に係る発明の競技大会記録処理システムでは、請求項１１又は１２に記載の発明の構成に加えて、前記第１認証情報及び前記第２認証情報は、複数の文字若しくは数字から成るパスワードであることを特徴とする構成となっている。
【００３３】
この構成の競技大会記録処理システムでは、発請求項１１又は１２に記載の明の作用に加えて、第２認証情報及び第１認証情報は、複数の文字若しくは数字から成るパスワードを用いることができる。
【００３４】
また、請求項１４に係る発明の競技大会記録処理システムでは、請求項１１乃至１３のいずれかに記載の発明の構成に加えて、前記サーバは、前記競技結果をインターネット上で閲覧可能なホームページデータに加工する競技結果ページ加工手段を備えたことを特徴とする構成となっている。
【００３５】
この構成の競技大会記録処理システムでは、請求項１１乃至１３のいずれかに記載の発明の作用に加えて、サーバの競技結果ページ加工手段は、競技結果をインターネット上で閲覧可能なホームページデータに加工する。
【００３６】
また、請求項１５に係る発明の競技大会記録処理システムでは、請求項１１乃至１４のいずれかに記載の発明の構成に加えて、前記サーバは、前記競技結果を予め登録されているメールアドレスへインターネットを介して配信可能な電子メールデータへ加工する競技結果メール加工手段を備えたことを特徴とする構成となっている。
【００３７】
この構成の競技大会記録処理システムでは、請求項１１乃至１４のいずれかに記載の発明の作用に加えて、サーバの競技結果メール加工手段は、競技結果を予め登録されているメールアドレスへインターネットを介して配信可能な電子メールデータへ加工する。
【００３８】
また、請求項１６に係る発明の競技大会取材システムは、携帯情報端末とサーバとがネットワークを介して接続され、競技大会の模様を取材した取材情報を記録する取材処理を行う取材処理プログラムを前記サーバからダウンロードして前記携帯情報端末で実行させることにより、競技大会の模様を取材する競技大会取材処理システムであって、前記携帯情報端末は、前記競技大会に参加する個人又はグループを特定するための情報である第１特定情報を記憶する第１特定情報記憶手段と、前記取材処理プログラムの指示により、個人又はグループを認証するための第１認証情報を入力する認証情報入力手段と、当該認証情報入力手段で入力された前記第１認証情報及び前記第１特定情報記憶手段に記憶された前記第１特定情報を前記サーバへ送信する第１情報送信手段と、前記サーバから送信された個人又はグループの認証結果を受信する認証結果受信手段と、前記取材情報を入力する取材情報入力画面を表示するための取材情報入力画面情報を前記サーバから受信する取材情報入力画面情報受信手段と、当該取材情報入力画面情報受信手段が受信した前記取材情報入力画面情報に基づいて前記取材情報入力画面を表示する取材情報入力画面表示手段と、当該取材情報入力画面表示手段が表示している前記取材情報入力画面情報に取材情報を入力する取材情報入力手段と、当該取材情報入力手段で入力された前記取材情報を前記サーバへ送信する取材情報送信手段とを備え、前記サーバは、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末の前記第１情報送信手段から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する取材認証判定手段と、当該取材認証判定手段が一致すると判定した場合に、取材情報入力画面情報を前記携帯情報端末の前取材情報入力画面受信手段へ送信する取材情報入力画面送信手段と、前記携帯情報端末の前記取材情報送信手段から送信された前記取材情報を受信する取材情報受信手段と、当該取材情報受信手段が受信した前記取材情報を記憶する取材情報記憶手段とを備えている。
【００３９】
この構成の競技大会取材処理システムでは、携帯情報端末の第１特定情報記憶手段は、競技大会に参加する個人又はグループを特定するための情報である第１特定情報を記憶し、認証情報入力手段は、取材処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、認証結果受信手段は、サーバから送信された個人又はグループの認証結果を受信し、取材情報入力画面情報受信手段は、取材情報を入力する取材情報入力画面を表示するための取材情報入力画面情報をサーバから受信し、取材情報入力画面表示手段は、取材情報入力画面情報受信手段が受信した取材情報入力画面情報に基づいて取材情報入力画面を表示し、取材情報入力手段は、取材情報入力画面表示手段が表示している取材情報入力画面情報に取材情報を入力し、取材情報送信手段は、取材情報入力手段で入力された取材情報をサーバへ送信する。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、取材認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、取材情報入力画面送信手段は、取材認証判定手段が一致すると判定した場合に、取材情報入力画面情報を携帯情報端末の前取材情報入力画面受信手段へ送信し、取材情報受信手段は、携帯情報端末の取材情報送信手段から送信された取材情報を受信し、取材情報記憶手段は、取材情報受信手段が受信した取材情報を記憶する。
【００４０】
また、請求項１７に係る発明の競技大会取材処理システムでは、請求項１６に記載の発明の構成に加えて、前記第２特定情報及び前記第１特定情報は、個人の氏名、グループの名称又は個人若しくはグループ毎に割り当てられたＩＤ記号の内の少なくとも１つであることを特徴とする構成となっている。
【００４１】
この構成の競技大会取材処理システムでは、請求項１６に記載の発明の作用に加えて、第２特定情報及び第１特定情報は、個人の氏名、グループの名称又は個人若しくはグループ毎に割り当てられたＩＤ記号の内の少なくとも１つを用いることができる。
【００４２】
また、請求項１８に係る発明の競技大会取材処理システムでは、請求項１６又は１７に記載の発明の構成に加えて、前記第１認証情報及び前記第２認証情報は、複数の文字若しくは数字から成るパスワードであることを特徴とする構成となっている。
【００４３】
この構成の競技大会取材処理システムでは、請求項１６又は１７に記載の発明の作用に加えて、第２認証情報及び第１認証情報は、複数の文字若しくは数字から成るパスワードを用いることができる。
【００４４】
また、請求項１９に係る発明の競技大会取材処理システムでは、請求項１６乃至１８のいずれかに記載の発明の構成に加えて、前記取材情報は、文字データ、画像データ、動画データ又は音声データのうちの少なくとも１つであることを特徴とする構成となっている。
【００４５】
この構成の競技大会取材処理システムでは、請求項１６乃至１８のいずれかに記載の発明の作用に加えて、取材情報は、文字データ、画像データ、動画データ又は音声データのうちの少なくとも１つを用いることができる。
【００４６】
また、請求項２０に係る発明の競技大会取材処理システムでは、請求項１６乃至１９のいずれかに記載の発明の構成に加えて、前記サーバは、前記取材情報をインターネット上で閲覧可能なホームページデータに加工する取材情報ページ加工手段を備えたことを特徴とする構成となっている。
【００４７】
この構成の競技大会取材処理システムでは、請求項１６乃至１９のいずれかに記載の発明の作用に加えて、サーバの取材情報ページ加工手段は、取材情報をインターネット上で閲覧可能なホームページデータに加工する。
【００４８】
また、請求項２１に係る発明の競技大会取材処理システムでは、請求項１６乃至２０のいずれかに記載の発明の構成に加えて、前記サーバは、前記取材情報を予め登録されているメールアドレスへインターネットを介して配信可能な電子メールデータへ加工する取材情報メール加工手段を備えたことを特徴とする構成となっている。
【００４９】
この構成の競技大会取材処理システムでは、請求項１６乃至２０のいずれかに記載の発明の作用に加えて、サーバの取材情報メール加工手段は、取材情報を予め登録されているメールアドレスへインターネットを介して配信可能な電子メールデータへ加工する。
【００５０】
また、請求項２２に係る発明の競技大会運営システムは、携帯情報端末とサーバとがネットワークを介して接続され、前記携帯情報端末の接続先のアドレスを記憶した通信補助装置が前記携帯情報端末に接続可能であり、前記携帯情報端末の操作により競技大会の運営を行う競技大会運営システムであって、前記サーバは、前記競技大会に参加する個人又はグループを特定するための情報である第２特定情報を記憶する第２特定情報記憶手段と、当該第２特定情報記憶手段に記憶されている前記第２特定情報に対応して、その個人又はグループが少なくとも競技者又はスタッフのいずれかであるかの種別を記憶する種別記憶手段と、前記競技大会の運営のために、前記携帯情報端末上で実行される携帯情報端末プログラムを記憶するサーバ側プログラム記憶手段と、前記携帯情報端末から送信された、前記競技大会に参加する個人又はグループを特定するための情報である第３特定情報を受信する第３特定情報受信手段と、当該第３特定情報受信手段が受信した前記第３特定情報が予め前記第２特定情報記憶手段に記憶されている前記第２特定情報と一致するか否かを判定する特定情報判定手段と、当該特定情報判定手段で一致すると判定された場合に、１つ又は複数の処理から１つの処理を選択可能な選択画面で選択肢となる処理を、前記種別記憶手段で前記第３特定情報に対応して記憶されている種別により決定する処理決定手段と、当該処理決定手段が決定した処理を選択肢とした前記選択画面を表示するための選択画面情報を作成する選択画面情報作成手段と、当該選択画面情報作成手段が作成した前記選択画面情報を前記携帯情報端末へ送信する選択画面情報送信手段と、前記携帯情報端末において前記選択画面で選択され、送信された選択結果を受信する選択結果受信手段と、当該選択結果受信手段が受信した前記選択結果に基づいて前記サーバ側プログラム記憶手段に記憶されている前記携帯情報端末プログラムを前記携帯情報端末へ送信するプログラム送信手段とを備え、前記通信補助装置は、前記サーバに接続することを前記携帯情報端末に指示する接続指示信号を記憶する接続指示信号記憶手段と、前記第３特定情報を記憶する第３特定情報記憶手段と、前記接続指示信号記憶手段に記憶されている前記接続指示信号及び前記第３特定情報記憶手段に記憶されている前記第３特定情報を前記携帯情報端末へ出力する出力手段とを備え、前記携帯情報端末は、前記出力手段から出力された前記接続指示信号及び前記第３特定情報を受信する通信補助情報受信手段と、当該通信補助情報受信手段が受信した前記接続指示信号に従い、前記サーバへ前記ネットワークを介して接続するサーバ接続制御手段と、前記通信補助情報受信手段が受信した前記第３特定情報を前記サーバの前記第３特定情報受信手段へ送信する第３特定情報送信手段と、前記サーバの前記選択画面情報送信手段から送信された前記選択画面情報に基づいて前記選択画面を表示する選択画面表示手段と、当該選択画面表示手段が表示している前記選択画面において選択肢となっている処理から１つの処理を選択する選択手段と、当該選択手段で選択された選択結果を前記サーバの前記選択結果受信手段へ送信する選択結果送信手段と、前記サーバの前記プログラム送信手段から送信された前記携帯情報端末プログラムを受信するプログラム受信手段と、当該プログラム受信手段が受信した前記携帯情報端末プログラムを記憶する携帯情報端末側プログラム記憶手段と、当該携帯情報端末側プログラム記憶手段に記憶されている前記携帯情報端末プログラムを実行するプログラム実行手段を備えている。
【００５１】
この構成の競技大会運営システムでは、サーバの第２特定情報記憶手段は、競技大会に参加する個人又はグループを特定するための情報である第２特定情報を記憶し、種別記憶手段は、第２特定情報記憶手段に記憶されている第２特定情報に対応して、その個人又はグループが少なくとも競技者又はスタッフのいずれかであるかの種別を記憶し、サーバ側プログラム記憶手段は、競技大会の運営のために、携帯情報端末上で実行される携帯情報端末プログラムを記憶し、第３特定情報受信手段は、携帯情報端末から送信された、競技大会に参加する個人又はグループを特定するための情報である第３特定情報を受信し、特定情報判定手段は、第３特定情報受信手段が受信した第３特定情報が予め第２特定情報記憶手段に記憶されている第２特定情報と一致するか否かを判定し、処理決定手段は、特定情報判定手段で一致すると判定された場合に、１つ又は複数の処理から１つの処理を選択可能な選択画面で選択肢となる処理を、種別記憶手段で第３特定情報に対応して記憶されている種別により決定し、選択画面情報作成手段は、処理決定手段が決定した処理を選択肢とした選択画面を表示するための選択画面情報を作成し、選択画面情報送信手段は、選択画面情報作成手段が作成した選択画面情報を携帯情報端末へ送信し、選択結果受信手段は、携帯情報端末において選択画面で選択され、送信された選択結果を受信し、プログラム送信手段は、選択結果受信手段が受信した選択結果に基づいてサーバ側プログラム記憶手段に記憶されている携帯情報端末プログラムを携帯情報端末へ送信する。また、通信補助装置の接続指示信号記憶手段は、サーバに接続することを携帯情報端末に指示する接続指示信号を記憶し、第３特定情報記憶手段は、第３特定情報を記憶し、出力手段は、接続指示信号記憶手段に記憶されている接続指示信号及び第３特定情報記憶手段に記憶されている第３特定情報を携帯情報端末へ出力する。また、携帯情報端末の通信補助情報受信手段は、出力手段から出力された接続指示信号及び第３特定情報を受信し、サーバ接続制御手段は、通信補助情報受信手段が受信した接続指示信号に従い、サーバへネットワークを介して接続し、第３特定情報送信手段は、通信補助情報受信手段が受信した第３特定情報をサーバの第３特定情報受信手段へ送信し、選択画面表示手段は、サーバの選択画面情報送信手段から送信された選択画面情報に基づいて選択画面を表示し、選択手段は、選択画面表示手段が表示している選択画面において選択肢となっている処理から１つの処理を選択し、選択結果送信手段は、選択手段で選択された選択結果をサーバの選択結果受信手段へ送信し、プログラム受信手段は、サーバのプログラム送信手段から送信された携帯情報端末プログラムを受信し、携帯情報端末側プログラム記憶手段は、プログラム受信手段が受信した携帯情報端末プログラムを記憶し、プログラム実行手段は、携帯情報端末側プログラム記憶手段に記憶されている携帯情報端末プログラムを実行する。
【００５２】
また、請求項２３に係る発明の競技大会運営システムでは、請求項２２に記載の発明の構成に加えて、前記第２特定情報及び前記第３特定情報は、個人の氏名、グループの名称又は個人若しくはグループ毎に割り当てられたＩＤ記号の内の少なくとも１つであることを特徴とする構成となっている。
【００５３】
この構成の競技大会運営システムでは、請求項２２に記載の発明の作用に加えて、第２特定情報及び第３特定情報は、個人の氏名、グループの名称又は個人若しくはグループ毎に割り当てられたＩＤ記号の内の少なくとも１つを用いることができる。
【００５４】
また、請求項２４に係る発明の競技大会運営システムでは、請求項２２又は２３に記載の発明の構成に加えて、前記携帯情報端末プログラムは、請求項１乃至４に記載の前記認証処理プログラム、請求項５乃至７に記載の前記申込処理プログラム、請求項８乃至１０に記載の前記受付処理プログラム、請求項１１乃至１５に記載の前記記録処理プログラム、又は、請求項１６乃至２１に記載の前記取材処理プログラムのうちの少なくとも１つであることを特徴とする構成となっている。
【００５５】
この構成の競技大会運営システムでは、請求項２２又は２３に記載の発明の作用に加えて、携帯情報端末プログラムは、請求項１乃至４に記載の認証処理プログラム、請求項５乃至７に記載の申込処理プログラム、請求項８乃至１０に記載の受付処理プログラム、請求項１１乃至１５に記載の記録処理プログラム、又は、請求項１６乃至２１に記載の取材処理プログラムのうちの少なくとも１つを用いることができる。
【００５６】
また、請求項２５に係る発明のサーバは、携帯情報端末に接続され、競技大会において本人であるかを確認する認証処理を行う認証処理プログラムが前記携帯情報端末で実行されることにより競技大会における本人の確認を行うサーバであって、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末から送信された前記第１認証情報と前記第１特定情報とを受信する第１情報受信手段と、当該第１情報受信手段が受信した個人又はグループを認証するための第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する認証判定手段と、当該認証判定手段が判定した認証結果を前記携帯情報端末へ送信する認証結果送信手段とを備えている。
【００５７】
この構成のサーバでは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された第１認証情報と第１特定情報とを受信し、認証判定手段は、第１情報受信手段が受信した個人又はグループを認証するための第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、認証判定手段が判定した認証結果を携帯情報端末へ送信する。
【００５８】
また、請求項２６に係る発明のサーバでは、請求項２５に記載の発明の構成に加えて、前記第２特定情報に対応して、個人若しくはグループが写された画像データ又はグループを示す図柄が写された画像データを記憶する画像データ記憶手段と、前記認証判定手段で一致すると判定された場合に、前記認証判定手段で判定された第２特定情報に対応して前記画像データ記憶手段に記憶されている前記画像データを送信する画像データ送信手段とを備えたことを特徴とする構成となっている。
【００５９】
この構成のサーバでは、請求項２５に記載の発明の作用に加えて、画像データ記憶手段は、第２特定情報に対応して、個人若しくはグループが写された画像データ又はグループを示す図柄が写された画像データを記憶し、画像データ送信手段は、認証判定手段で一致すると判定された場合に、認証判定手段で判定された第２特定情報に対応して画像データ記憶手段に記憶されている画像データを送信する。
【００６０】
また、請求項２７に係る発明のサーバは、携帯情報端末とサーバとがネットワークを介して接続され、個人又はグループの競技大会への参加の申込をする申込処理を行う申込処理プログラムを前記携帯情報端末で実行させることにより、競技大会への参加申込の受付を行うサーバであって、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末から送信された前記第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する申込認証判定手段と、競技大会に参加する個人又はグループである大会会員の第１特定情報が記憶されている参加大会会員情報を記憶する参加大会会員記憶手段と、前記申込認証判定手段で一致すると判定された場合に、前記参加大会会員記憶手段に記憶されている前記参加大会会員情報に前記第１情報受信手段が受信した前記第１特定情報を追加記憶する申込手段と、当該申込手段による前記参加大会会員情報への追加記憶が行われた際に、前記申込完了情報を前記携帯情報端末へ送信する申込完了情報送信手段とを備えている。
【００６１】
この構成のサーバでは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された第１認証情報と第１特定情報とを受信し、申込認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、参加大会会員記憶手段は、競技大会に参加する個人又はグループである大会会員の第１特定情報が記憶されている参加大会会員情報を記憶し、申込手段は、申込認証判定手段で一致すると判定された場合に、参加大会会員記憶手段に記憶されている参加大会会員情報に第１情報受信手段が受信した第１特定情報を追加記憶し、申込完了情報送信手段は、申込手段による参加大会会員情報への追加記憶が行われた際に、申込完了情報を携帯情報端末へ送信する。
【００６２】
また、請求項２８に係る発明のサーバは、携帯情報端末とサーバとがネットワークを介して接続され、競技大会において当日の個人又はグループの参加の受付を行う本人であるかを確認する受付処理を行う受付処理プログラムを前記携帯情報端末で実行させることにより、大会当日の受付を行うサーバであって、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末から送信された個人又はグループを認証するための第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する受付認証判定手段と、競技大会に関係する個人又はグループである大会会員が受付処理を行ったか否かの情報が、前記第２特定情報に対応して記憶されている受付情報を記憶する受付情報記憶手段と、前記受付認証判定手段で一致すると判定された場合に、前記受付認証判定手段で判定された前記第２特定情報及び前記第１特定情報に対応して前記受付情報記憶手段に記憶されている前記受付情報に、受付処理が行われたことを記憶する受付手段と、当該受付手段による受付情報記憶手段に記憶されている前記受付情報への記憶が行われた際に、前記受付完了情報を前記携帯情報端末へ送信する受付完了情報送信手段とを備えている。
【００６３】
この構成のサーバでは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、受付認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、受付情報記憶手段は、競技大会に関係する個人又はグループである大会会員が受付処理を行ったか否かの情報が、第２特定情報に対応して記憶されている受付情報を記憶し、受付手段は、受付認証判定手段で一致すると判定された場合に、受付認証判定手段で判定された第２特定情報及び第１特定情報に対応して受付情報記憶手段に記憶されている受付情報に、受付処理が行われたことを記憶し、受付完了情報送信手段は、受付手段による受付情報記憶手段に記憶されている受付情報への記憶が行われた際に、受付完了情報を携帯情報端末へ送信する。
【００６４】
また、請求項２９に係る発明のサーバは、携帯情報端末とサーバとがネットワークを介して接続され、競技大会における競技の結果を記録する記録処理を行う記録処理プログラムを前記携帯情報端末で実行させることにより、競技の結果を記録するサーバであって、前記競技大会に参加する個人又はグループを特定するための情報である第２特定情報を記憶する第２特定情報記憶手段と、前記第２特定情報に対応して、個人又はグループを認証するための第２認証情報を記憶する認証情報記憶手段と、前記携帯情報端末から送信された個人又はグループを認証するための第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する記録認証判定手段と、当該記録認証判定手段が判定した認証結果を前記携帯情報端末へ送信する認証結果送信手段と、競技大会の競技に関する情報であり、少なくとも前記競技結果を含む競技情報を記憶する競技情報記憶手段と、前記競技結果送信手段から送信された前記競技結果を受信する競技結果受信手段と、当該競技結果受信手段が受信した前記競技結果を前記競技情報記憶手段に追加記憶する競技結果反映手段とを備えている。
【００６５】
この構成のサーバでは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、記録認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、記録認証判定手段が判定した認証結果を携帯情報端末へ送信し、競技情報記憶手段は、競技大会の競技に関する情報であり、少なくとも競技結果を含む競技情報を記憶し、競技結果受信手段は、競技結果送信手段から送信された競技結果を受信し、競技結果反映手段は、競技結果受信手段が受信した競技結果を競技情報記憶手段に追加記憶する。
【００６６】
また、請求項３０に係る発明のサーバは、取材処理プログラムを実行可能な携帯情報端末がネットワークを介して接続し、前記携帯情報端末で取材処理プログラムが実行されることにより競技大会の模様を取材した取材情報を記録する取材処理を実施するサーバであって、前記第２特定情報に対応して、個人又はグループを認証するための第２認証情報を記憶する認証情報記憶手段と、前記携帯情報端末から送信された個人又はグループを認証するための第１認証情報と前記第１特定情報とを受信する第１情報受信手段と、当該第１情報受信手段が受信した前記第１特定情報が、前記第２特定情報記憶手段に予め記憶されている前記第２特定情報と一致する場合には、前記第１情報受信手段が受信した前記第１認証情報が、前記第２特定情報に対応して前記認証情報記憶手段に予め記憶されている前記第２認証情報と一致するか否かを判定する取材認証判定手段と、前記取材情報送信手段から送信された前記取材情報を受信する取材情報受信手段と、当該取材情報受信手段が受信した前記取材情報を記憶する取材情報記憶手段とを備えている。
【００６７】
この構成のサーバでは、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、取材認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、取材情報受信手段は、取材情報送信手段から送信された取材情報を受信し、取材情報記憶手段は、取材情報受信手段が受信した取材情報を記憶する。
【００６８】
また、請求項３１に係る発明のサーバは、携帯情報端末にネットワークを介して接続され、前記携帯情報端末からの操作により競技大会の運営を行うサーバであって、前記競技大会に参加する個人又はグループを特定するための情報である第２特定情報を記憶する第２特定情報記憶手段と、当該第２特定情報記憶手段に記憶されている前記第２特定情報に対応して、その個人又はグループが少なくとも競技者又はスタッフのいずれかであるかの種別を記憶する種別記憶手段と、前記競技大会の運営のために、前記携帯情報端末上で実行される携帯情報端末プログラムを記憶するサーバ側プログラム記憶手段と、前記携帯情報端末から送信された、前記競技大会に参加する個人又はグループを特定するための情報である第１特定情報を受信する第３特定情報受信手段と、当該第３特定情報受信手段が受信した前記第３特定情報が予め前記第２特定情報記憶手段に記憶されている前記第２特定情報と一致するか否かを判定する特定情報判定手段と、当該特定情報判定手段で一致すると判定された場合に、１つ又は複数の処理から１つの処理を選択可能な選択画面で選択肢となる処理を、前記種別記憶手段で前記第１特定情報に対応して記憶されている種別により決定する処理決定手段と、当該処理決定手段が決定した処理を選択肢とした前記選択画面を表示するための選択画面情報を作成する選択画面情報作成手段と、当該選択画面情報作成手段が作成した前記選択画面情報を前記携帯情報端末へ送信する選択画面情報送信手段と、前記携帯情報端末において前記選択画面で選択され、送信された選択結果を受信する選択結果受信手段と、当該選択結果受信手段が受信した前記選択結果に基づいて前記サーバ側プログラム記憶手段に記憶されている前記携帯情報端末プログラムを前記携帯情報端末へ送信するプログラム送信手段とを備えている。
【００６９】
この構成のサーバでは、第２特定情報記憶手段は、競技大会に参加する個人又はグループを特定するための情報である第２特定情報を記憶し、種別記憶手段は、第２特定情報記憶手段に記憶されている第２特定情報に対応して、その個人又はグループが少なくとも競技者又はスタッフのいずれかであるかの種別を記憶し、サーバ側プログラム記憶手段は、競技大会の運営のために、携帯情報端末上で実行される携帯情報端末プログラムを記憶し、第３特定情報受信手段は、携帯情報端末から送信された、競技大会に参加する個人又はグループを特定するための情報である第３特定情報を受信し、特定情報判定手段は、第３特定情報受信手段が受信した第３特定情報が予め第２特定情報記憶手段に記憶されている第２特定情報と一致するか否かを判定し、処理決定手段は、特定情報判定手段で一致すると判定された場合に、１つ又は複数の処理から１つの処理を選択可能な選択画面で選択肢となる処理を、種別記憶手段で第１特定情報に対応して記憶されている種別により決定し、選択画面情報作成手段は、処理決定手段が決定した処理を選択肢とした選択画面を表示するための選択画面情報を作成し、選択画面情報送信手段は、選択画面情報作成手段が作成した選択画面情報を携帯情報端末へ送信し、選択結果受信手段は、携帯情報端末において選択画面で選択され、送信された選択結果を受信し、プログラム送信手段は、選択結果受信手段が受信した選択結果に基づいてサーバ側プログラム記憶手段に記憶されている携帯情報端末プログラムを携帯情報端末へ送信する。
【００７０】
また、請求項３２に係る発明のサーバでは、請求項３０に記載の発明の構成に加えて、前記取材情報は、文字データ、画像データ、動画データ又は音声データのうちの少なくとも１つであることを特徴とする構成となっている。
【００７１】
この構成のサーバでは、請求項３０に記載の発明の作用に加えて、取材情報は、文字データ、画像データ、動画データ又は音声データのうちの少なくとも１つを用いることができる。
【００７２】
また、請求項３３に係る発明のサーバでは、請求項２９又は３０に記載の発明の構成に加えて、前記競技結果又は前記取材結果をインターネット上で閲覧可能なホームページデータに加工するページ加工手段を備えたことを特徴とする構成となっている。
【００７３】
この構成のサーバでは、請求項２９又は３０に記載の発明の作用に加えてページ加工手段は、競技結果又は取材結果をインターネット上で閲覧可能なホームページデータに加工する。
【００７４】
また、請求項３４に係る発明のサーバでは、請求項２９又は３０に記載の発明の構成に加えて、前記競技結果又は前記取材結果を予め登録されているメールアドレスへインターネットを介して配信可能な電子メールデータへ加工するメール加工手段を備えたことを特徴とする構成となっている。
【００７５】
この構成のサーバでは、請求項２９又は３０に記載の発明の作用に加えて、メール加工手段は、競技結果又は取材結果を予め登録されているメールアドレスへインターネットを介して配信可能な電子メールデータへ加工する。
【００７６】
また、請求項３５に係る発明のサーバでは、請求項２５乃至３１のいずれかに記載の発明の構成に加えて、前記第１特定情報、前記第２特定情報及び前記第３特定情報は、個人の氏名、グループの名称又は個人若しくはグループ毎に割り当てられたＩＤ記号の内の少なくとも１つであることを特徴とする構成となっている。
【００７７】
この構成のサーバでは、請求項２５乃至３１のいずれかに記載の発明の作用に加えて、第１特定情報、第２特定情報及び第３特定情報は、個人の氏名、グループの名称又は個人若しくはグループ毎に割り当てられたＩＤ記号の内の少なくとも１つを用いることができる。
【００７８】
また、請求項３６に係る発明のサーバでは、請求項２５乃至３０のいずれかに記載の発明の構成に加えて、前記第１認証情報及び前記第２認証情報は、複数の文字若しくは数字から成るパスワードであることを特徴とする構成となっている。
【００７９】
この構成のサーバでは、請求項２５乃至３０のいずれかに記載の発明の作用に加えて、第２認証情報及び第１認証情報は、複数の文字若しくは数字から成るパスワードを用いることができる。
【００８０】
また、請求項３７に係る発明のサーバでは、請求項３１に記載の発明の構成に加えて、前記携帯情報端末プログラムは、請求項２５又は２６に記載の前記認証処理プログラム、請求項２７に記載の前記申込処理プログラム、請求項２８に記載の前記受付処理プログラム、請求項２９に記載の前記記録処理プログラム、又は、請求項３０に記載の前記取材処理プログラムのうちの少なくとも１つであることを特徴とする構成となっている。
【００８１】
この構成のサーバでは、請求項３１に記載の発明の作用に加えて、携帯情報端末プログラムは、請求項２５又は２６に記載の認証処理プログラム、請求項２７に記載の申込処理プログラム、請求項２８に記載の受付処理プログラム、請求項２９に記載の記録処理プログラム、又は、請求項３０に記載の取材処理プログラムのうちの少なくとも１つを用いることができる。
【００８２】
【発明の実施の形態】
以下、本発明に係る競技大会運営システムの一実施の形態について、図面を参照して説明する。図１は、本実施の形態の競技大会運営システムの構成図である。競技大会運営システム提供会社７には、サーバ３が設置されており、インターネット６に接続可能となっている。また、携帯電話２での通話やインターネット６への接続サービスを提供する携帯電話会社８には、携帯電話２がインターネット６へ接続するのための携帯電話用サーバ４が設置されている。
【００８３】
尚、携帯電話２は、本来の目的である通話以外にもインターネット６に接続してホームページを閲覧したり、電子メールを送受信したり、インターネット６上のホームページから携帯電話２上で動作可能なプログラムを、そのホームページが記憶されているサーバ３からダウンロードし、携帯電話２上で動作させることにより、様々な処理を行ったりすることができる機種であるとする。携帯電話２は、無線パケット通信網５を介して携帯電話用サーバ４へ接続することにより、インターネット６を介してサーバ３へ接続することができる。尚、携帯電話２上で動作するプログラムは、Ｊａｖａ（登録商標）と呼ばれる言語で記載されたもので、携帯電話２上だけで何らかの処理を行うだけではなく、インターネット６を介してサーバに３接続し、サーバ３にデータを記憶させたり、サーバ３に記憶されているデータを取得したり、サーバ３上で動作するプログラム（Ｊａｖａ（登録商標）プログラム）と同期をとり、なんらかの処理をさせ、その結果を取得したりすることができる。ダウンロードされたプログラムは、携帯電話２へ記憶され、キー操作により液晶ディスプレイ２４（図２参照）へプログラム選択画面（図示外）を表示すると、プログラムの一覧が表示される。携帯電話２の操作者は、その一覧の中からプログラムを選択することにより、プログラムを起動させることができる。
【００８４】
また、通信補助装置１は、携帯電話２の外部接続コネクタ２１１（図２参照）に差し込むことにより、予め通信補助装置１に記憶されているＵＲＬ（Ｕｎｉｆｏｒｍ  Ｒｅｓｏｕｒｃｅ  Ｌｏｃａｔｏｒ）のホームページが記憶されているサーバにインターネット６を介して接続し、携帯電話番号や予め記憶されているＩＤコードを送信することができる通信補助装置であり、ＵＲＬの入力の手間を省くことができる。
【００８５】
本実施の形態の競技大会運営システムでは、競技大会として「ドッヂボール大会」（第２０回、開催日平成１５年２月１１日）、大会関係者として「係員」、「審判員」及び「競技者」を考える。競技大会関係者は、予め大会開催者側に会員登録をする必要がある。会員登録がなされると、会員ＩＤが割り振られて、サーバ３の会員マスタ情報記憶エリア３８２に記憶されている会員マスタ情報テーブル３８２１（図５参照）へ会員データの追加がなされる。この会員マスタ情報テーブル３８２１への会員データの追加は、競技大会関係者がインターネット６等を介して携帯電話２やパソコンから登録することによってもよいし、競技大会主催者が届出用紙に記入された内容をサーバ３へ入力してもよい。競技大会主催者は、会員登録を受け付けたら、会員ＩＤ及びドッヂボール大会ホームページのトップページ（処理選択画面２４１：図６参照）のＵＲＬを通信補助装置１へ書き込みした、その会員用の通信補助装置１を作成し、本人へ配布する。尚、ドッヂボール大会ホームページのトップページは、サーバ３上に置かれている。
【００８６】
競技大会関係者は、通信補助装置１を携帯電話２へ差し込むことにより、サーバ３上のトップページへ接続する。このトップページでは、大会運営上の処理である「申込処理」（競技大会申込処理システム）、「受付処理」（競技大会受付処理システム）、「記録処理」（競技大会記録処理システム）、「取材処理」（競技大会取材処理システム）又は「認証処理」（競技大会認証処理システム）を携帯電話２上で行うことができるプログラムをダウンロードしたり、競技大会関係の情報が掲載されたページへリンクすることができるようになっている。そこで、競技大会関係者はトップページから各処理のプログラムをダウンロードして、プログラムを携帯電話２上で実行することにより各処理を実施する。尚、各処理を行うにあたっては、大会関係者の種別（係員、審判員、競技者）及び使用されている携帯電話２の電話番号により制約があるものもある。例えば、本実施の形態では、受付処理は予め登録されている電話番号の携帯電話２でなければならない。また、記録処理は審判員しか行うことができない。これらの詳細については後述する。また、本実施の形態の大会運営システムでは、予めメールアドレスを登録しておくと、競技結果や競技大会の模様の取材情報を自動的に電子メールで受け取ることができる。
【００８７】
次に、図２乃至図４を参照して、大会運営システムを構成する通信補助装置１、携帯電話２及びサーバ３について説明する。図２は、携帯電話２へ通信補助装置１を接続した状態の通信補助装置１及び携帯電話２の斜視図である。図３は、携帯電話２の電気的構成を示すブロック図である。図４は、サーバ３の電気的構成を示すブロック図である。
【００８８】
まず、図２の斜視図を参照して通信補助装置１及び携帯電話２の形状を説明する。図２に示すように、携帯電話２は周知の携帯電話であり、略直方体の形状をしている。液晶ディスプレイ２４が供えられている面を正面とすると、正面右側にアンテナ２２を備え、正面上半部には液晶ディスプレイ２４が、正面下部には操作ボタン群２８が備えられ、液晶ディスプレイ２４の上には、スピーカ２６と、デジタル画像（静止画又は動画）を撮影する際に使用するレンズ２７１とが備えられ、操作ボタン群２８の下部にはマイク２５が備えられている。さらに、下面には外部接続コネクタ２１１が備えられている。
【００８９】
また、通信補助装置１の本体１１は略直方体の形状をしており、側面に略立方体の接続コネクタ１２が備えられている。この接続コネクタ１２は携帯電話２の外部接続コネクタ２１１に差し込み可能なサイズとなっており、外部接続コネクタ２１１に差し込むことにより携帯電話２と接続することができる。図２は、接続コネクタ１２が外部接続コネクタ２１１に差し込まれている状態である。尚、通信補助装置１にはプログラムや初期情報等を記憶するＲＯＭ、プログラムを実行するＣＰＵ、プログラムで使用する一時的なデータ等を記憶するＲＡＭ、接続先のＵＲＬや会員ＩＤ等を記憶するＥＥＰＲＯＭが備えられている。
【００９０】
次に、図３のブロック図を参照して、携帯電話２の電気的構成について説明する。図３に示すように、携帯電話２には、各種の演算を行うＣＰＵ２０が備えられ、ＣＰＵ２０には、外部接続コネクタ２１１を備えた外部接続インターフェース２１と、ＲＡＭ２９１と、ＲＯＭ２９２と、ＥＥＰＲＯＭ２９３とが備えられ、さらに、アンテナ２２を備えた無線通信デバイス２３と、液晶ディスプレイ２４と、マイク２５と、スピーカ２６と、レンズ２７１を備えたカメラ２７と、操作ボタン群２８とが各制御接続している。無線通信デバイス２３は、アンテナ２２を介して無線パケット通信網５を介して携帯電話用サーバ４に接続する。また、カメラ２７はデジタル静止画だけでなく、動画も撮影することができる。また、ＲＯＭ２９２は制御プログラム及び各種の初期値のデータ等を記憶し、ＲＡＭ２９１はデータ等を一時的に記憶している。ＥＥＰＲＯＭ２９３には、プログラム記憶エリア２９３１及びプログラム使用確保エリア２９３２、画像情報記憶エリア２９３３、ＩＤ情報記憶エリア２９３４等が設けられており、サーバ３からダウンロードされたプログラムは、プログラム記憶エリア２９３１に記憶され、そのプログラムが使用する記憶領域は、プログラム使用確保エリア２９３２において確保され、カメラ２７で撮影された静止画像データや動画データが記憶され、ＩＤ情報記憶エリア２９３４は携帯電話の個体を識別する製造番号や電話番号等のＩＤ情報が記憶されている。
【００９１】
次に、図４のブロック図を参照して、サーバ３の電気的構成について説明する。図４に示すように、サーバ３には、サーバ３の制御を司るＣＰＵ３０が設けられ、ＣＰＵ３０には、各種のデータを一時的に記憶するＲＡＭ３１と、ＢＩＯＳ等を記憶したＲＯＭ３２と、データの受け渡しの仲介を行うＩ／Ｏインターフェース３３とが接続されている。Ｉ／Ｏインターフェース３３には、ハードディスク装置３８が接続され、当該ハードディスク装置３８には、ホームページ関連情報記憶エリア３８０と、携帯電話用プログラム情報記憶エリア３８１と、会員マスタ情報記憶エリア３８２と、ドッジボール大会情報記憶エリア３８３と、プログラム記憶エリア３８４と、その他の情報記憶エリア３８５とが設けられている。
【００９２】
尚、ホームページ関連情報記憶エリア３８０には、インターネット６上に公開するホームページを形成するの画面データや、画像データを作成するための素材データ等のホームページ関連のデータが記憶されている。携帯電話用プログラム情報記憶エリア３８１には、携帯電話２上で動作するプログラムが記憶されている。ここに記憶されているプログラムが、携帯電話２からのダウンロードの要求により、携帯電話２へ送信される。また、会員マスタ情報記憶エリア３８２には、大会関係者の会員ＩＤ、氏名、パスワード等が記憶されている。さらに、ドッジボール大会情報記憶エリア３８３には、本実施の形態で行われるドッヂボール大会に参加する係員の情報が記憶された係員情報テーブル３８３１（図１１参照）、本実施の形態で行われるドッヂボール大会に参加する審判員の情報が記憶された審判員情報テーブル３８３２（図１２参照）、本実施の形態で行われるドッヂボール大会に参加する競技者の情報が記憶された競技者情報テーブル３８３３（図１３参照）、本実施の形態で行われるドッヂボール大会の試合の試合コードや担当係員の会員ＩＤ等の競技に関する情報が記憶さた競技情報テーブル３８３４（図１４参照）、及び、本実施の形態で行われるドッヂボール大会の模様の取材データが記憶された取材情報テーブル３８３５（図２４参照）、係員の携帯電話として使用可能な携帯電話２の電話番号が記憶された登録携帯電話番号テーブル（図示外）、競技結果や取材情報を掲載したメールを送信する宛先であるメールアドレスが記憶されたメールアドレステーブル（図示外）等の本実施例で説明するドッヂボール大会に関する情報が記憶されている。また、プログラム記憶エリア３８４にはＣＰＵ３０で実行されるプログラムが記憶されており、その他の情報記憶エリア３８５には、前回のドッヂボール大会や他の競技大会の情報等が記憶されている。
【００９３】
また、Ｉ／Ｏインターフェース３３には、ビデオコントローラ３４と、キーコントローラ３５と、ＣＤ−ＲＯＭドライブ３６と、ＬＡＮカード９１とが接続され、ビデオコントローラ３４にはＣＲＴ９３が接続され、キーコントローラ３５にはキーボード９４が接続され、ＬＡＮカード９１にはルータ９２が接続され、インターネット６に接続可能となっている。なお、ＣＤ−ＲＯＭドライブ３６に挿入されるＣＤ−ＲＯＭ３７には、サーバ３の制御プログラムが記憶されており、導入時には、制御プログラムは、ＣＤ−ＲＯＭ３７から、ハードディスク装置３８にセットアップされてプログラム記憶エリア３８４に記憶されるようになっている。
【００９４】
次に、図５の模式図を参照して、会員マスタ情報記憶エリア３８２に記憶されている会員マスタ情報テーブル３８２１について説明する。図５は、会員マスタ情報記憶エリア３８２に記憶されている会員マスタ情報テーブル３８２１の模式図である。この会員マスタテーブルには、会員となっている個人またはグループの基本となる会員データが記憶されており、会員ＩＤ欄、名称欄、種別欄、パスワード欄、画像データ名欄、電話番号欄等が設けられている。会員ＩＤ欄には、大会関係者を識別するためのコードである会員ＩＤがセットされる。名称欄には、大会関係者の名称がセットされる。尚、係員及び審判員は個人であるので氏名がセットされ、競技者はチーム名がセットされる。本実施の形態では、ドッヂボール大会を例に挙げているので、競技者が個人ではなくグループであるため、グループ名となるが、陸上競技や水泳競技、剣道や柔道の個人戦、囲碁や将棋のような場合には競技者の氏名がセットされる。種別欄には、会員がどの種別に属するのかの情報がセットされる。本実施の形態では、「１」は「係員」、「２」は「審判員」、「３」は「競技者」を示している。
【００９５】
また、パスワード欄には、会員を認証するためのパスワードがセットされており、ここに記憶されるパスワードは、会員登録の際に予め届け出ているものである。また、画像データ名欄には、会員の顔写真のデジタル画像データの名前がセットされる。この画像データは、会員マスタ情報記憶エリア３８２に動画データや静止画像データとして記憶されており、この画像データ名から画像データや静止画像データが特定されて、受付処理や認証処理を行った後に携帯電話に表示される。これは、機械による判断のみならず、最終的に人による再確認を促すためのものである。また、会員がグループである場合には、グループの集合写真やグループのトレードマークやユニフォーム、旗のように識別の手助けとなるものを使用すれば良い。電話番号欄には、会員が使用する携帯電話２の電話番号がセットされる。
【００９６】
図５に示す例では、会員ＩＤ欄が「１３５４８」である会員の名称欄は「黒須花子」であり、種別欄は「１」であり、パスワード欄は「ｊｏａｉｅｔ」であり、画像データ名欄は「１００３５．ｇｉｆ」であり、電話番号欄は「０９０４５６７８９１２」であり、その他の項目については省略されている。会員ＩＤ欄が「３２０５４」である会員の名称欄は「イエローズ」であり、種別欄は「３」であり、パスワード欄は「ａｌｅｒｉ２」であり、画像データ名欄は「１０４６５．ｇｉｆ」であり、電話番号欄は「０９０３２１９８７６５」であり、その他の項目については省略されている。会員ＩＤ欄が「１０８９４」である会員の名称欄は「田中一郎」であり、種別欄は「２」であり、パスワード欄は「ｂｅｉ９４ｏ」であり、画像データ名欄は「１０８９４．ｇｉｆ」であり、電話番号欄は「０９０５５５５６６６６」であり、その他の項目については省略されている。以下のデータは省略されている。尚、その他の項目については、住所、過去の参加履歴や成績、グループの代表者名及びその住所、電話番号、会員登録日などである。
【００９７】
次に、図６乃至図９を参照して、「処理選択画面処理」について説明する。この処理選択画面処理は、会員が通信補助装置１を携帯電話２へセットすることにより、サーバ３に接続して、ドッヂボール大会ホームページのトップページを表示したものであり、大会運営上の処理である「申込処理」（競技大会申込処理システム）、「受付処理」（競技大会受付処理システム）、「記録処理」（競技大会記録処理システム）、「取材処理」（競技大会取材処理システム）及び「認証処理」（競技大会認証処理システム）を携帯電話２上で行うことができるプログラムをダウンロードしたり、競技大会関係の情報が掲載されたページを閲覧したりするものである。なお、「申込処理」については、図１０乃至図１６を参照して後述する。「受付処理」については、図１７乃至図１９を参照して後述する。「記録処理」については、図２０乃至図２２を参照して後述する。「取材処理」については、図２３乃至図２６を参照して後述する。「認証処理」については、図２７乃至図２９を参照して後述する。
【００９８】
図６は、審判員に対する大会ホームページのトップページである処理選択画面２４１の画面イメージ図である。図７は、携帯電話２で行われる処理選択画面処理のフローチャートである。尚、フローチャートの各ステップについては、以下、「Ｓ」と略す。図８は、サーバ３で行われる処理選択画面処理のフローチャートである。図９は、サーバ３で行われるより選択画面処理の中で行われる処理選択画面作成処理のフローチャートである。
【００９９】
まず、図６の画面イメージ図を参照して、処理選択画面２４１について説明する。図６に示す例は、種別が「審判員」である会員が予め登録電話番号テーブルに登録されてた電話番号の携帯電話２を使用している場合に表示される処理選択画面２４１である。画面上部にどの競技大会の処理選択画面であるかを示すために、「第２０回  ドッヂボール大会  Ｈ１５．２．１１」と大会名及び開催日が表示されている。その下行には、「審判員」と表示され、どの種別の会員の処理選択画面２４１であるかを表示している。「＊プログラムダウンロード」と表示されており、その下にプログラムをダウンロードができる処理名が表示されている。図６に示す例では、「１．申込処理」、「２．受付処理」及び「３．記録処理」である。尚、これらの文字群には、各処理のプログラムダウンロード可能なページのＵＲＬにリンクが張ってあり、キー操作によりいずれかの処理を選択すると、サーバ３へ接続して各プログラムの受信を行うことができる。
【０１００】
また、その下には「＊競技一覧」及び「＊競技模様」と表示されている。これらの文字群にも各処理を行うＵＲＬにリンクが張ってある。つまり、「＊試合一覧」を選択すると、ドッヂボール大会の競技予定（試合会場、対戦競技者、係員、審判員等）や競技結果を閲覧することができるページが表示される。また、「＊競技模様」を選択すると、取材処理にて登録された取材情報を閲覧することができるページが表示される。尚、操作をしている大会関係者の種別が「審判員」以外である場合にはそれぞれ「係員」又は「競技者」と表示されており、プログラムをダウンロードできる処理名が「＊プログラムダウンロード」の下に表示されている。
【０１０１】
次に、図７のフローチャートを参照して、携帯電話２で行われる処理選択画面処理について説明する。この処理は、通信補助装置１の接続コネクタ１２が携帯電話２の外部接続コネクタ２１１に差し込まれ、携帯電話２のＣＰＵ２０が通信補助装置１を認識し、通信補助装置１が携帯電話２の電話番号を取得した際に開始される。
【０１０２】
まず、サーバ３へ接続する（Ｓ１）。接続が確立したら、通信補助装置１に記憶されている会員ＩＤ及び携帯電話２の電話番号をサーバ３へ送信する（Ｓ３）。サーバ３では、受信した会員ＩＤが有効なものであれば、その会員ＩＤに対応させた処理選択画面（図６参照）を送信してくるので（図８：Ｓ３０１〜３０７参照）、処理選択画面を受信したら（Ｓ５：ＹＥＳ）、処理選択画面を表示する（Ｓ７）。処理選択画面を受信しない場合には（Ｓ５：ＮＯ）、エラー画面を受信したかを判断し（Ｓ２１）、エラー画面（図示外）を受信した場合には（Ｓ２１：ＹＥＳ）、エラー画面を表示して（Ｓ２３）、処理を終了する。所定時間（例えば、１分）受信を待っても、処理選択画面又はエラー画面のどちらも受信しない場合には（Ｓ５：ＮＯ、Ｓ２１：ＮＯ）、タイムアウト処理をして本処理を終了する。
【０１０３】
処理選択画面が表示されたら（Ｓ７）、操作者のキー入力による処理の選択があるか否かを判断する（Ｓ９）。キー入力による処理の選択がない場合には（Ｓ９：ＮＯ）、繰り返し選択があるか否かを判断して（Ｓ９）、処理の選択を待機する。処理の選択がある場合には（Ｓ９：ＹＥＳ）、選択された処理に張られているリンク先のＵＲＬへの移動要求をサーバ３へ送信する（Ｓ１１）。サーバ３では、リンク先のＵＲＬへの移動要求を受信したら、そのリンク先がプログラムのダウンロードを行うものであれば、まず会員ＩＤ及び電話番号を送信して、後にプログラムを送信してくるので（図８：Ｓ３０９〜３４７）、会員ＩＤ及び電話番号を受信したか否かを判断する（Ｓ１３）。会員ＩＤ及び電話番号を受信したら（Ｓ１３：ＹＥＳ）、ＥＥＰＲＯＭ２９３のプログラム使用確保エリア２９３２に記憶される（Ｓ１５）。そして、プログラムを受信したか否かを判断する（Ｓ１７）。プログラムを受信しない場合には（Ｓ１７：ＮＯ）、繰り返し受信の判断を行い（Ｓ１７）、プログラムを受信した場合には（Ｓ１７：ＹＥＳ）、ＥＥＰＲＯＭ２９３のプログラム記憶エリアに記憶して（Ｓ１９）、処理を終了する。また、会員ＩＤ及び電話番号を受信していない場合には（Ｓ１３：ＮＯ）、その他のＷＥＢ画面を受信したか否かを判断する（Ｓ２５）。これは、処理選択画面において、「競技一覧」又は「競技模様」を選択した際に送信されてくる競技一覧ページ又は競技模様ページである。その他の画面を受信していない場合には（Ｓ２５：ＮＯ）、Ｓ１３へ戻り繰り返し会員ＩＤ及び電話番号を受信したかの判断を行う。その他の画面を受信した場合には（Ｓ２５：ＹＥＳ）、その画面を表示して（Ｓ２７）、処理を終了する。
【０１０４】
したがって、通信補助装置１を携帯電話２に差し込んで、処理選択画面において処理を選択することにより、プログラムをダウンロードして、携帯電話２に記憶させることができる。
【０１０５】
次に、図８のフローチャートを参照して、サーバ３で行われる処理選択画面処理について説明する。この処理は、携帯電話２からインターネット６を介してサーバ３へ接続され、会員ＩＤ及び電話番号が送信されてきた時点（図７：Ｓ１、３参照）で開始される。
【０１０６】
まず、受信した会員ＩＤ及び電話番号をＲＡＭ２９１に記憶し（Ｓ３００）、会員ＩＤがハードディスク装置３８の会員マスタ情報記憶エリア３８２に記憶されている会員マスタ情報テーブル３８２１に登録されている有効なものであるか否かを判断する（Ｓ３０１）。会員ＩＤが有効でない場合には（Ｓ３０１：ＮＯ）、処理を行うことはできないので、会員ＩＤが有効でない旨を示すエラー画面を携帯電話２へ送信して（Ｓ３０３）、処理を終了する。会員ＩＤが有効である場合には（Ｓ３０１：ＹＥＳ）、会員ＩＤの種別により会員ＩＤに対応した処理選択画面を作成して（Ｓ３０５）、処理選択画面を携帯電話２へ送信する（Ｓ３０７）。なお、処理選択画面作成処理（Ｓ３０５）については、図９を参照して後述する。
【０１０７】
そして、携帯電話２からリンク先のＵＲＬへの移動要求を受信したか否かを判断する（Ｓ３０９）。受信しない場合には繰り返し受信の確認をする（Ｓ３０９：ＮＯ、Ｓ３０９）。但し、所定時間（例えば、３分）受信がない場合には、タイムアウトとして、携帯電話２との接続を断ち、処理を終了する。リンク先への移動要求を受信した場合には（Ｓ３０９：ＹＥＳ）、リンク先のページにより処理が決定される。
【０１０８】
リンク先が認証処理ダウンロードページのＵＲＬであった場合には（Ｓ３１１：ＹＥＳ）、ＲＡＭ２９１に記憶されている会員ＩＤ及び携帯電話番号を携帯電話２へ送信し（Ｓ３１３）、次いで認証プログラムを送信して（Ｓ３１５）、処理を終了する。また、リンク先が申込処理ダウンロードページのＵＲＬであった場合には（Ｓ３１７：ＹＥＳ）、ＲＡＭ２９１に記憶されている会員ＩＤ及び携帯電話番号を携帯電話２へ送信し（Ｓ３１９）、次いで申込処理プログラムを送信して（Ｓ３２１）、処理を終了する。また、リンク先が受付処理ダウンロードページのＵＲＬであった場合には（Ｓ３２３：ＹＥＳ）、ＲＡＭ２９１に記憶されている会員ＩＤ及び携帯電話番号を携帯電話２へ送信し（Ｓ３２５）、次いで受付処理プログラムを送信して（Ｓ３２７）、処理を終了する。また、リンク先が記録処理ダウンロードページのＵＲＬであった場合には（Ｓ３２９：ＹＥＳ）、ＲＡＭ２９１に記憶されている会員ＩＤ及び携帯電話番号を携帯電話２へ送信し（Ｓ３３１）、次いで記録処理プログラムを送信して（Ｓ３３３）、処理を終了する。また、リンク先が取材処理ダウンロードページのＵＲＬであった場合には（Ｓ３３５：ＹＥＳ）、ＲＡＭ２９１に記憶されている会員ＩＤ及び携帯電話番号を携帯電話２へ送信し（Ｓ３３７）、次いで取材処理プログラムを送信して（Ｓ３３９）、処理を終了する。
【０１０９】
また、リンク先が競技一覧ページのＵＲＬであった場合には（Ｓ３４１：ＹＥＳ）、競技一覧ページを送信して（Ｓ３４３）、処理を終了する。また、リンク先が競技模様ページのＵＲＬであった場合には（Ｓ３４５：ＹＥＳ）、競技模様ページを送信して（Ｓ３４５）、処理を終了する。いずれのページのＵＲＬでもない場合には（Ｓ３１１：ＮＯ、Ｓ３１７：ＮＯ、Ｓ３２３：ＮＯ、Ｓ３２９：ＮＯ、Ｓ３３５：ＮＯ、Ｓ３４１：ＮＯ、Ｓ３４５：ＮＯ）、処理を終了する。尚、競技一覧ページ及び競技模様ページは、その詳細を閲覧するページへリンク可能な構造と成っている。
【０１１０】
次に、図９のフローチャートを参照して、サーバ３で行われるより選択画面処理の中で行われる処理選択画面作成処理について説明する。本実施の形態の競技大会運営システムでは、大会関係者の種別及び接続してきている携帯電話の電話番号により行うことができる処理が異なるため、それらの条件を判断して携帯電話２へ送信する処理選択画面を作成する。ここで、種別は、ハードディスク装置３８の会員マスタ情報記憶エリア３８２に記憶されている会員マスタ情報テーブル３８２１の種別欄に記憶されているコードで判断を行う。「１」であれば「係員」を示し、「２」であれば「審判員」を示し、「３」であれば「競技者」を示している。また、電話番号については、ドッジボール大会情報記憶エリア３８３に記憶されている登録携帯電話番号テーブル（図示外）に登録されている電話番号であるか否かにより判断を行う。この判断は、受付処理を行う携帯電話２を特定するために行う。どの携帯電話２でも受付処理を行うことができるとした場合には、大会会場に到着していないにも係わらず、自身の携帯電話２で受付処理を行ってしまうという懸念があるからである。そこで、係員が所有する携帯電話又は大会主催者側が提供し、大会会場にて使用する携帯電話の電話番号を、大会前日までに予め登録携帯電話番号テーブルに登録しておく。
【０１１１】
まず、種別が「１」であり係員であるか否かを判断する（Ｓ５０１）。係員である場合には（Ｓ５０１：ＹＥＳ）、「認証処理」、「申込処理」、「受付処理」、「取材処理」、「競技一覧」及び「競技模様」へのリンクを貼った処理選択画面を作成して（Ｓ５０３）、処理を終了する。
【０１１２】
係員でない場合には（Ｓ５０１：ＮＯ）、「２」であり審判員であるか否かを判断する（Ｓ５０５）。審判員である場合には（Ｓ５０５：ＹＥＳ）、電話番号が登録携帯電話番号テーブルに登録されているものであるか否かを判断する（Ｓ５０７）。登録されているものである場合には（Ｓ５０７：ＹＥＳ）、「申込処理」、「受付処理」、「記録処理」、「競技一覧」及び「競技模様」へのリンクを貼った処理選択画面を作成して（Ｓ５０９）、処理を終了する。登録されていない者である場合には（Ｓ５０７：ＮＯ）、「申込処理」、「記録処理」、「競技一覧」及び「競技模様」へのリンクを貼った処理選択画面を作成して（Ｓ５１１）、処理を終了する。
【０１１３】
審判員でない場合には（Ｓ５０５：ＮＯ）、「３」であり競技者であるか否かを判断する（Ｓ５１３）。競技者である場合には（Ｓ５１３：ＹＥＳ）、電話番号が登録携帯電話番号テーブルに登録されているものであるか否かを判断する（Ｓ５１５）。登録されているものである場合には（Ｓ５１５：ＹＥＳ）、「申込処理」、「受付処理」、「競技一覧」及び「競技模様」へのリンクを貼った処理選択画面を作成して（Ｓ５１７）、処理を終了する。登録されていない者である場合には（Ｓ５１５：ＮＯ）、「申込処理」、「競技一覧」及び「競技模様」へのリンクを貼った処理選択画面を作成して（Ｓ５１９）、処理を終了する。競技者でもない場合には（Ｓ５１３：ＮＯ）、種別欄に記憶されているコードがどの種別にも属さない旨を示したエラー画面（図示外）を作成して（Ｓ５２１）、処理を終了する。
【０１１４】
したがって、図８に示すサーバ側処理選択画面処理及び図９に示す処理選択画面作成処理を行うことにより、携帯電話２から送信されてきた会員ＩＤが有効なものであれば、その会員ＩＤの種別によりダウンロード可能なプログラムを携帯電話２へ送信することができる。
【０１１５】
次に、図１０乃至図１６を参照して「申込処理」について説明する。ここでは、ドッヂボール大会への参加を希望する会員が、各々の種別での参加の申込の処理を行うものである。参加希望の会員は、携帯電話２を操作して前述した処理選択画面処理においてサーバ３からダウンロードした申込処理プログラムを起動させる。すると、申込処理プログラムはサーバ３と通信し、サーバ３において参加情報が更新される。
【０１１６】
図１０は、申込処理プログラムにより携帯電話２の液晶ディスプレイ２４に表示される申込処理画面２４２の画面イメージ図である。図１１は、ドッジボール大会情報記憶エリア３８３に記憶されている、ドッヂボール大会に参加する係員の情報が記憶された係員情報テーブル３８３１の模式図である。図１２は、ドッジボール大会情報記憶エリア３８３に記憶されている、ドッヂボール大会に参加する審判員の情報が記憶された審判員情報テーブル３８３２の模式図である。図１３は、ドッジボール大会情報記憶エリア３８３に記憶されている、ドッヂボール大会に参加する競技者の情報が記憶された競技者情報テーブル３８３３の模式図である。図１４は、ドッジボール大会情報記憶エリア３８３に記憶されている、ドッヂボール大会の試合の試合コードや担当係員の会員ＩＤ等の競技に関する情報が記憶さた競技情報テーブル３８３４の模式図である。図１５は、携帯電話２で行われる携帯電話側申込処理のフローチャートである。図１６は、サーバ３で行われるサーバ側申込処理のフローチャートである。
【０１１７】
まず、図１０のイメージ図を参照して申込処理画面２４２について説明する。この申込処理画面２４２は、申込を希望する会員が携帯電話２のプログラム選択画面（図示外）に表示されているプログラムの一覧の中から「申込処理プログラム」を選択し、ＣＰＵ２０が申込処理プログラムを実施する中で、サーバ３で作成されて液晶ディスプレイ２４に表示される画面である。
【０１１８】
画面上部にどの競技大会の処理選択画面であるかを示すために、「第２０回  ドッヂボール大会  Ｈ１５．２．１１」と大会名及び開催日が表示されている。その下行には、申込処理の画面であることを示す「＊＊申込処理＊＊」が表示されている。そして、その下には、会員ＩＤが「３１５４８」と表示され、画面下部にはＯＫボタンおよびキャンセルボタンが設けられている。この会員ＩＤに対して申込処理を行う場合には、ＯＫボタンを選択し、申込処理を行わない場合には、キャンセルボタンを選択する。尚、会員ＩＤは申込処理プログラムをダウンロードする際にサーバ３から送信されて、プログラム使用確保エリア２９３２に記憶した（図７：Ｓ１５参照）ものである。
【０１１９】
次に、図１１の模式図を参照して、係員情報テーブル３８３１について説明する。係員情報テーブル３８３１は、ドッジボール大会情報記憶エリア３８３に記憶されており、申込処理が行われた係員の情報が記憶されている。この係員情報テーブル３８３１には、会員ＩＤ欄、氏名欄、受付欄、試合コード１欄、試合コード２欄、試合コード３欄、試合コード４欄及び試合コード５欄が設けられている。申込処理が行われると、会員ＩＤ欄に会員ＩＤがセットされ、氏名欄に係員の氏名がセットされ、受付欄に未受付を示す「０」がセットされたデータが作成される。そして、受付期間終了後に大会当日の進行計画が立てられた際に、試合コード１〜５欄に係員を務める試合の試合コードがセットされる。また、大会当日に受付処理がなされると、受付欄に受付済みを示す「１」がセットされる。
【０１２０】
図１１に示す例では、会員ＩＤ欄が「１３５４８」である会員の名称欄は「黒須花子」であり、受付欄は「１」であり、試合コード１欄は「０１０１」であり、試合コード２欄は「０１０５」であり、試合コード３欄は「０２０８」であり、試合コード４欄は「０２１１」であり、試合コード５欄は「０３１５」である。会員ＩＤ欄が「１３４８７」である会員の名称欄は「鈴木太郎」であり、受付欄は「１」であり、試合コード１欄は「０１０３」であり、試合コード２欄は「０１０６」であり、試合コード３欄は「０３０７」であり、試合コード４欄は「０３１０」であり、試合コード５欄は「０２１２」である。会員ＩＤ欄が「１９８５４」である会員の名称欄は「加藤二郎」であり、受付欄は「１」であり、試合コード１欄は「０１０２」であり、試合コード２欄は「０１０７」であり、試合コード３欄は「０２１０」であり、試合コード４欄は「０２１３」であり、試合コード５欄は「０５１５」である。以下のデータについては省略されている。
【０１２１】
次に、図１２の模式図を参照して、審判員情報テーブル３８３２について説明する。審判員情報テーブル３８３２は、ドッジボール大会情報記憶エリア３８３に記憶されており、申込処理が行われた審判員の情報が記憶されている。この審判員情報テーブル３８３２は、係員情報テーブル３８３１と同じ構造をしており、会員ＩＤ欄、氏名欄、受付欄、試合コード１欄、試合コード２欄、試合コード３欄、試合コード４欄及び試合コード５欄が設けられている。申込処理が行われると、会員ＩＤ欄に会員ＩＤがセットされ、氏名欄に審判員の氏名がセットされ、受付欄に未受付を示す「０」がセットされたデータが作成される。そして、受付期間終了後に大会当日の進行計画が立てられた際に、試合コード１〜５欄に審判員を務める試合の試合コードがセットされる。また、大会当日に受付処理がなされると、受付欄に受付済みを示す「１」がセットされる。
【０１２２】
図１２に示す例では、会員ＩＤ欄が「２４８６５」である会員の名称欄は「田中春子」であり、受付欄は「１」であり、試合コード１欄は「０１０１」であり、試合コード２欄は「０１０５」であり、試合コード３欄は「０２０８」であり、試合コード４欄は「０２１１」であり、試合コード５欄は「０３１５」である。会員ＩＤ欄が「２４６８１」である会員の名称欄は「佐藤秋子」であり、受付欄は「１」であり、試合コード１欄は「０１０３」であり、試合コード２欄は「０１０６」であり、試合コード３欄は「０３０７」であり、試合コード４欄は「０３１０」であり、試合コード５欄は「０２１２」である。会員ＩＤ欄が「２０８４１」である会員の名称欄は「伊藤三郎」であり、受付欄は「１」であり、試合コード１欄は「０１０２」であり、試合コード２欄は「０１０７」であり、試合コード３欄は「０２１０」であり、試合コード４欄は「０２１３」であり、試合コード５欄は「０５１５」である。以下のデータについては省略されている。
【０１２３】
次に、図１３の模式図を参照して、競技者情報テーブル３８３３について説明する。競技者情報テーブル３８３３には、ドッジボール大会情報記憶エリア３８３に記憶されており、申込処理が行われた競技者の情報が記憶されている。この競技者情報テーブル３８３３は、会員ＩＤ欄、名称欄、受付欄、試合１欄、試合２欄、試合３欄、試合４欄、試合５欄、勝点欄、内野数合計欄及び順位欄が設けられている。さらに、試合１〜５欄には夫々試合コード欄、勝敗欄、内野数欄が設けられている。申込処理が行われると、会員ＩＤ欄に会員ＩＤがセットされ、氏名欄に競技者の氏名がセットされ、受付欄に未受付を示す「０」がセットされたデータが作成される。そして、受付期間終了後に大会当日の試合計画が立てられた際に、試合１〜５欄の試合コード欄に参加する試合の試合コードがセットされる。また、大会当日に受付処理がなされると、受付欄に受付済みを示す「１」がセットされ、試合が終了し記録処理が行われると該当する試合コードの勝敗欄及び内野数欄に値がセットされる。勝敗欄は「２」は勝ちを示し、「１」は引き分けを示し、「０」は負けを示している。さらに、勝点欄、内野数合計欄及び順位欄には、全試合終了後に各試合の結果が集計されてセットされる。
【０１２４】
図１３に示す例では、会員ＩＤ欄が「３１５４８」である会員の名称欄は「クロスファイターズ」であり、受付欄は「１」であり、試合１欄の試合コード欄は「０１０１」であり、勝敗欄は「２」であり、内野数欄は「８」であり、試合２欄の試合コード欄は「０１０４」であり、勝敗欄は「０」であり、内野数欄は「６」であり、試合欄３，４は省略されており、試合５欄の試合コード欄は「０１１５」であり、勝敗欄は「０」であり、内野数欄は「５」であり、勝点欄は「６」であり、内野数合計欄は「３８」であり、順位欄は「３」である。会員ＩＤ欄が「３１６９９」である会員の名称欄は「レッドビクトリー」であり、受付欄は「１」であり、試合１欄の試合コード欄は「０１０１」であり、勝敗欄は「０」であり、内野数欄は「７」であり、試合２欄の試合コード欄は「０１０５」であり、勝敗欄は「２」であり、内野数欄は「８」であり、試合欄３，４は省略されており、試合５欄の試合コード欄は「０１１３」であり、勝敗欄は「２」であり、内野数欄は「１０」であり、勝点欄は「８」であり、内野数合計欄は「４５」であり、順位欄は「１」である。会員ＩＤ欄が「３２０５４」である会員の名称欄は「イエローズ」であり、受付欄は「１」であり、試合１欄の試合コード欄は「０１０２」であり、勝敗欄は「１」であり、内野数欄は「６」であり、試合２欄の試合コード欄は「０１０４」であり、勝敗欄は「０」であり、内野数欄は「６」であり、試合欄３，４は省略されており、試合５欄の試合コード欄は「０１１４」であり、勝敗欄は「２」であり、内野数欄は「９」であり、勝点欄は「５」であり、内野数合計欄は「３３」であり、順位欄は「４」である。以下のデータは省略されている。
【０１２５】
次に、図１４の模式図を参照して、競技情報テーブル３８３４について説明する。競技情報テーブル３８３４には、ドッジボール大会情報記憶エリア３８３に記憶されており、試合毎に情報が記憶されている。この競技情報テーブル３８３４は、試合コード欄、係員欄、審判員欄、競技者１欄及び競技者２欄が設けられており、競技者１欄及び競技者２欄には、それぞれ会員ＩＤ欄、勝敗欄及び内野数欄が設けられている。そして、受付期間終了後に大会当日の試合計画が立てられた際に、試合コード毎に担当の係員、審判員及び競技者の会員ＩＤがセットされて本競技情報テーブル３８３４が作成され、試合が終了し記録処理が行われると勝敗欄及び内野数欄に値がセットされる。
【０１２６】
図１４に示す例では、試合コード欄「０１０１」の試合の係員の会員ＩＤ欄は「１３５４８」であり、審判員の会員ＩＤ欄は「２４８６５」であり、競技者１の会員ＩＤ欄は「３１５４８」、勝敗欄は「２」、内野数欄は「８」であり、競技者２の会員ＩＤ欄は「３１６９９」、勝敗欄は「０」、内野数欄は「７」である。試合コード欄「０１０２」の試合の係員の会員ＩＤ欄は「１９８５４」であり、審判員の会員ＩＤ欄は「２０８４１」であり、競技者１の会員ＩＤ欄は「３２０５４」、勝敗欄は「１」、内野数欄は「６」であり、競技者２の会員ＩＤ欄は「３６８４５」、勝敗欄は「１」、内野数欄は「６」である。試合コード欄「０１０３」の試合の係員の会員ＩＤ欄は「１３４８７」であり、審判員の会員ＩＤ欄は「２４６８１」であり、競技者１の会員ＩＤ欄は「３２５８７」、勝敗欄は「２」、内野数欄は「９」であり、競技者２の会員ＩＤ欄は「３１５４８」、勝敗欄は「０」、内野数欄は「３」である。以下のデータは省略されている。
【０１２７】
次に、図１５のフローチャートを参照して、携帯電話２で行われる携帯電話側申込処理について説明する。この携帯電話側申込処理は、申込を希望する会員が携帯電話２のプログラム選択画面（図示外）に表示されているプログラムの一覧の中から「申込処理プログラム」を選択することにより、ＣＰＵ２０が申込処理プログラムを実施して行われるものである。
【０１２８】
まず、パスワード入力画面（図示外）が表示される（Ｓ３１）。このパスワード入力画面には、プログラム使用確保エリア２９３２に記憶されている会員ＩＤが表示され、パスワード入力項目及びＯＫボタンが設けられている。そこで、操作者は予め会員登録時に届け出ているパスワードを入力し、ＯＫボタンを選択する。そこで、本処理はＯＫボタンが選択されたか否かを判断する（Ｓ３３）。ＯＫボタンが選択されない場合には（Ｓ３３：ＮＯ）、繰り返し判断を行う（Ｓ３３）。ＯＫボタンが選択された場合には（Ｓ３３：ＹＥＳ）、サーバ３へ接続し（Ｓ３５）、接続が確立したら会員ＩＤ及びパスワードを送信する（Ｓ３７）。
【０１２９】
サーバ３では、携帯電話側申込処理から会員ＩＤ及びパスワードを受信すると、サーバ側申込処理（図１６参照）が開始され、申込処理画面（図１０参照）を携帯電話２へ送信する（図１６：Ｓ３６９参照）。そこで、本処理は申込処理画面２４２を受信したか否かを確認する（Ｓ３９）。申込処理画面２４２を受信しない場合には（Ｓ３９：ＮＯ）、エラー画面を受信したかを判断し（Ｓ５３）、エラー画面（図示外）を受信した場合には（Ｓ５３：ＹＥＳ）、エラー画面を表示して（Ｓ５５）、処理を終了する。所定時間（例えば、１分）受信を待っても、処理選択画面又はエラー画面のどちらも受信しない場合には（Ｓ３９：ＮＯ、Ｓ５３：ＮＯ）、タイムアウト処理をして本処理を終了する。
【０１３０】
申込処理画面２４２を受信した場合には（Ｓ３９：ＹＥＳ）、申込処理画面２４２（図１０参照）を液晶ディスプレイ２４へ表示する（Ｓ４１）。そして、ＯＫボタンが選択されたか否かを確認する（Ｓ４５）。ＯＫボタンが選択された場合には（Ｓ４５：ＹＥＳ）、ＯＫ情報をサーバ３へ送信し（Ｓ４７）、サーバ３から申込完了画面（図示外）を受信したか否かを判断する（Ｓ４９）。申込完了画面を受信していない場合には（Ｓ４９：ＮＯ）、繰り返し受信の確認を行う（Ｓ４９）。そして、申込完了画面を受信した場合には（Ｓ４９：ＹＥＳ）、申込完了画面を表示して（Ｓ５１）、処理を終了する。Ｓ４５にて、ＯＫボタンが選択されていない場合には（Ｓ４５：ＮＯ）、キャンセルボタンが選択されているか否かを判断する（Ｓ５７）。キャンセルボタンが選択されていない場合には（Ｓ５７：ＮＯ）、Ｓ４５へ戻り繰り返しＯＫボタンの選択の確認を行う。キャンセルボタンが選択されている場合には（Ｓ５７：ＹＥＳ）、キャンセル情報をサーバ３へ送信し（Ｓ５９）、サーバ３からキャンセル画面（図示外）を受信したか否かを判断する（Ｓ６１）。キャンセル画面を受信していない場合には（Ｓ６１：ＮＯ）、繰り返し受信の確認を行う（Ｓ６１）。そして、キャンセル画面を受信した場合には（Ｓ６１：ＹＥＳ）、キャンセル画面を表示して（Ｓ６３）、処理を終了する。
【０１３１】
次に、図１６のフローチャートを参照して、サーバ３で行われるサーバ側申込処理について説明する。このサーバ側申込処理は、携帯電話２で実施されている申込処理プログラムにインターネット６を介して接続され、送信されてきた会員ＩＤ等を受信することを契機に開始される。
【０１３２】
まず、送信されてきた会員ＩＤが会員マスタ情報テーブル３８２１に登録されている有効なものであるか否かを判断する（Ｓ３６１）。会員ＩＤが有効でない場合には（Ｓ３６１：ＮＯ）、処理を行うことはできないので、会員ＩＤが有効でない旨を示すエラー画面を携帯電話２へ送信して（Ｓ３６３）、処理を終了する。会員ＩＤが有効である場合には（Ｓ３６１：ＹＥＳ）、送信されてきたパスワードが予め会員マスタ情報テーブル３８２１に登録されているものと一致するか否かを判断する（Ｓ３６５）。一致しない場合には（Ｓ３６５：ＮＯ）、処理を行うことはできないので、パスワードが一致しない旨を示すエラー画面を携帯電話２へ送信して（Ｓ３６７）、処理を終了する。
【０１３３】
パスワードが一致した場合には（Ｓ３６５：ＹＥＳ）、受信した会員ＩＤを載せた申込処理画面２４２（図１０参照）を携帯電話２へ送信する（Ｓ３６９）。そして、携帯電話２からＯＫ情報が送信されてきたか否かを判断する（Ｓ３７１）。ＯＫ情報が送信されてきた場合には（Ｓ３７１：ＹＥＳ）、ドッジボール大会情報記憶エリア３８３の係員情報テーブル３８３１、審判員情報テーブル３８３２又は競技者情報テーブル３８３３へデータを追加してデータ反映処理を行い（Ｓ３７３）、申込完了画面（図示外）を携帯電話２へ送信して（Ｓ３７５）、携帯電話２との接続を断ち、処理を終了する。また、ＯＫ情報を受信していない場合には（Ｓ３７１：ＮＯ）、キャンセル情報を受信したか否かを判断する（Ｓ３７７）。キャンセル情報を受信した場合には（Ｓ３７７：ＹＥＳ）、キャンセル完了画面を送信して（Ｓ３７９）、携帯電話２との接続を断ち、処理を終了する。所定時間（例えば、１分）受信を待っても、ＯＫ情報、キャンセル情報のどちらも受信しない場合には（Ｓ３７１：ＮＯ、３７７：ＮＯ）、タイムアウトとして携帯電話２との接続を断ち、本処理を終了する。
【０１３４】
以上のようにして、携帯電話２で申込処理プログラムに従い操作を行うことにより、ドッヂボール大会への申込処理を行うことができる。
【０１３５】
次に、図１７乃至図１９を参照して「受付処理」について説明する。ここでは、ドッヂボール大会の大会関係者が、当日、大会会場へ到着し、本大会への参加の受付処理を行うものである。大会関係者は、携帯電話２を操作して前述した処理選択画面処理においてサーバ３からダウンロードした受付処理プログラムを起動させる。すると、受付処理プログラムはサーバ３と通信し、サーバ３において係員情報テーブル３８３１、審判員情報テーブル３８３２又は競技者情報テーブル３８３３が更新される。尚、本受付処理を行う際の使用できる携帯電話２は予め登録されているもののみである。処理選択画面において「受付処理」が表示されるのは、登録携帯電話番号テーブルに記憶されている電話番号の携帯電話だけなので、それ以外の携帯電話２に受付処理プログラムをダウンロードすることはできない。すなわち、それ以外の携帯電話２では受付処理を実施することはできない。
【０１３６】
図１７は、申込処理プログラムにより携帯電話２の液晶ディスプレイ２４に表示される受付内容画面２４３の画面イメージ図である。図１８は、携帯電話２で行われる携帯電話側受付処理のフローチャートである。図１９は、サーバ３で行われるサーバ側受付処理のフローチャートである。
【０１３７】
まず、図１７のイメージ図を参照して、受付内容画面２４３について説明する。この受付内容画面２４３は、大会関係者が携帯電話２のプログラム選択画面（図示外）に表示されているプログラムの一覧の中から「受付処理プログラム」を選択することにより、ＣＰＵ２０が受付処理プログラムを実施し、受付内容の確認を行うための画面である。
【０１３８】
画面上部にどの競技大会の画面であるかを示すために、「第２０回  ドッヂボール大会  Ｈ１５．２．１１」と大会名及び開催日が表示されている。その下行には、申込処理の画面であることを示す「＊＊受付処理＊＊」が表示されている。そして、その下には、会員ＩＤが「１３５４８」、名前が「黒須花子」、種別が「係員」と表示され、その下に顔写真が表示され、画面下部にはＯＫボタンおよびキャンセルボタンが設けられている。この会員ＩＤに対して受付処理を行う場合には、ＯＫボタンを選択し、受付処理を行わない場合には、キャンセルボタンを選択する。
【０１３９】
次に、図１８のフローチャートを参照して、携帯電話２で行われる携帯電話側受付処理のフローチャートについて説明する。この携帯電話側受付処理は、受付を希望する会員が携帯電話２のプログラム選択画面（図示外）に表示されているプログラムの一覧の中から「受付処理プログラム」を選択することにより、ＣＰＵ２０が受付処理プログラムを実施して行われるものである。
【０１４０】
まず、パスワード入力画面（図示外）が表示される（Ｓ７１）。このパスワード入力画面には、プログラム使用確保エリア２９３２に記憶されている会員ＩＤが表示され、パスワード入力項目及びＯＫボタンが設けられている。そこで、操作者は予め会員登録時に届け出ているパスワードを入力し、ＯＫボタンを選択する。そこで、本処理はＯＫボタンが選択されたか否かを判断する（Ｓ７３）。ＯＫボタンが選択されない場合には（Ｓ７３：ＮＯ）、繰り返し判断を行う（Ｓ７３）。ＯＫボタンが選択された場合には（Ｓ７３：ＹＥＳ）、サーバ３へ接続し（Ｓ７５）、接続が確立したら会員ＩＤ及びパスワードを送信する（Ｓ７７）。
【０１４１】
サーバ３では、携帯電話側受付処理から会員ＩＤ及びパスワードを受信すると、サーバ側受付処理（図１９参照）が開始され、受付内容画面（図１７参照）を携帯電話２へ送信する（図１９：Ｓ４０９参照）。そこで、本処理は受付内容画面２４３を受信したか否かを確認する（Ｓ７９）。受付内容画面２４３を受信しない場合には（Ｓ７９：ＮＯ）、エラー画面を受信したかを判断し（Ｓ９９）、エラー画面（図示外）を受信した場合には（Ｓ９９：ＹＥＳ）、エラー画面を表示して（Ｓ１０１）、処理を終了する。所定時間（例えば、１分）受信を待っても、処理選択画面又はエラー画面のどちらも受信しない場合には（Ｓ７９：ＮＯ、Ｓ９９：ＮＯ）、タイムアウト処理をして本処理を終了する。
【０１４２】
受付内容画面２４３を受信した場合には（Ｓ７９：ＹＥＳ）、受付内容画面２４３（図１７参照）を液晶ディスプレイ２４へ表示する（Ｓ８１）。そして、ＯＫボタンが選択されたか否かを確認する（Ｓ８３）。ＯＫボタンが選択された場合には（Ｓ８３：ＹＥＳ）、ＯＫ情報をサーバ３へ送信し（Ｓ８５）、サーバ３から受付完了画面（図示外）を受信したか否かを判断する（Ｓ８７）。受付完了画面を受信していない場合には（Ｓ８７：ＮＯ）、繰り返し受信の確認を行う（Ｓ８７）。そして、受付完了画面を受信した場合には（Ｓ８７：ＹＥＳ）、受付完了画面を表示して（Ｓ８９）、処理を終了する。Ｓ８３にて、ＯＫボタンが選択されていない場合には（Ｓ８３：ＮＯ）、キャンセルボタンが選択されているか否かを判断する（Ｓ９１）。キャンセルボタンが選択されていない場合には（Ｓ９１：ＮＯ）、Ｓ８３へ戻り繰り返しＯＫボタンの選択の確認を行う。キャンセルボタンが選択されている場合には（Ｓ９１：ＹＥＳ）、キャンセル情報をサーバ３へ送信し（Ｓ９３）、サーバ３からキャンセル画面（図示外）を受信したか否かを判断する（Ｓ９５）。キャンセル画面を受信していない場合には（Ｓ９５：ＮＯ）、繰り返し受信の確認を行う（Ｓ９５）。そして、キャンセル画面を受信した場合には（Ｓ９５：ＹＥＳ）、キャンセル画面を表示して（Ｓ９７）、処理を終了する。
【０１４３】
次に、図１９のフローチャートを参照して、サーバ３で行われるサーバ側受付処理のフローチャートについて説明する。携帯電話２で実施されている受付処理プログラムにインターネット６を介して接続され、送信されてきた会員ＩＤ等を受信することを契機に開始される。
【０１４４】
まず、送信されてきた会員ＩＤが会員マスタ情報テーブル３８２１に登録されている有効なものであるか否かを判断する（Ｓ４０１）。会員ＩＤが有効でない場合には（Ｓ４０１：ＮＯ）、処理を行うことはできないので、会員ＩＤが有効でない旨を示すエラー画面を携帯電話２へ送信して（Ｓ４０３）、処理を終了する。会員ＩＤが有効である場合には（Ｓ４０１：ＹＥＳ）、送信されてきたパスワードが予め会員マスタ情報テーブル３８２１に登録されているものと一致するか否かを判断する（Ｓ４０５）。一致しない場合には（Ｓ４０５：ＮＯ）、処理を行うことはできないので、パスワードが一致しない旨を示すエラー画面を携帯電話２へ送信して（Ｓ４０７）、処理を終了する。
【０１４５】
パスワードが一致した場合には（Ｓ４０５：ＹＥＳ）、受信した会員ＩＤ及び会員ＩＤに基づいて会員マスタ情報テーブル３８２１から取得した氏名又は名称、種別、画像データを載せた受付内容画面２４３（図１７参照）を携帯電話２へ送信する（Ｓ４０９）。そして、携帯電話２からＯＫ情報が送信されてきたか否かを判断する（Ｓ４１１）。ＯＫ情報が送信されてきた場合には（Ｓ４１１：ＹＥＳ）、ドッジボール大会情報記憶エリア３８３の係員情報テーブル３８３１、審判員情報テーブル３８３２又は競技者情報テーブル３８３３の該当する会員ＩＤの受付欄に、受付済みを示す「１」をセットして、データ反映処理を行い（Ｓ４１３）、受付完了画面（図示外）を携帯電話２へ送信して（Ｓ４１５）、携帯電話２との接続を断ち、処理を終了する。また、ＯＫ情報を受信していない場合には（Ｓ４１１：ＮＯ）、キャンセル情報を受信したか否かを判断する（Ｓ４１７）。キャンセル情報を受信した場合には（Ｓ４１７：ＹＥＳ）、キャンセル完了画面を送信して（Ｓ４１９）、携帯電話２との接続を断ち、処理を終了する。所定時間（例えば、１分）受信を待っても、ＯＫ情報、キャンセル情報のどちらも受信しない場合には（Ｓ４１１：ＮＯ、４１７：ＮＯ）、タイムアウトとして携帯電話２との接続を断ち、本処理を終了する。
【０１４６】
以上のようにして、携帯電話２で受付処理プログラムに従い操作を行うことにより、ドッヂボール大会への受付処理を行うことができる。ここで、受付確認画面には、画像データが表示されるので、受付処理を行う係員によって、人の目による更なる本人確認を行うことができ、通信補助装置１を所有し、パスワードも知りえている成りすましの人間を識別することができる。
【０１４７】
次に、図２０乃至図２２を参照して「記録処理」について説明する。ここでは、審判員が自身が審判を行った競技の結果を記録を行う。審判員は、携帯電話２を操作して前述した処理選択画面処理においてサーバ３からダウンロードした記録処理プログラムを起動させる。すると、記録処理プログラムはサーバ３と通信し、競技情報テーブル３８３４が更新される。尚、本実施の形態では記録処理は審判員のみが行う。
【０１４８】
図２０は、記録処理プログラムにより携帯電話２の液晶ディスプレイ２４に表示される記録画面２４４の画面イメージ図である。図２１は、携帯電話２で行われる携帯電話側記録処理のフローチャートである。図２２は、サーバ３で行われるサーバ側記録処理のフローチャートである。
【０１４９】
まず、図２０の画面イメージ図を参照して、記録画面２４４について説明する。この記録画面２４４は、審判員が携帯電話２のプログラム選択画面（図示外）に表示されているプログラムの一覧の中から「記録処理プログラム」を選択することにより、ＣＰＵ２０が記録処理プログラムを実施し表示される、試合結果を入力する記録画面である。
【０１５０】
画面上部にどの競技大会の画面であるかを示すために、「第２０回  ドッヂボール大会  Ｈ１５．２．１１」と大会名及び開催日が表示されている。その下行には、記録処理の画面であることを示す「＊＊記録処理＊＊」が表示されている。そして、その下には、入力項目として、試合コード欄、勝チームの会員ＩＤ欄及び得点欄、負チームの会員ＩＤ欄及び得点欄が設けられており、画面下部にはＯＫボタンおよびキャンセルボタンが設けられている。審判員は、記録内容を入力したら、ＯＫボタンを選択し、記録を行わない場合には、キャンセルボタンを選択する。尚、得点欄には、競技終了後に内野に残っている人数（内野数）を入力する。
【０１５１】
次に、図２１のフローチャートを参照して、携帯電話２で行われる携帯電話側記録処理について説明する。この携帯電話側記録処理は、携帯電話２のプログラム選択画面（図示外）に表示されているプログラムの一覧の中から「記録処理プログラム」を選択することにより、ＣＰＵ２０が記録処理プログラムを実施して行われるものである。
【０１５２】
まず、パスワード入力画面（図示外）が表示される（Ｓ１５１）。このパスワード入力画面には、プログラム使用確保エリア２９３２に記憶されている会員ＩＤが表示され、パスワード入力項目及びＯＫボタンが設けられている。そこで、操作者は予め会員登録時に届け出ているパスワードを入力し、ＯＫボタンを選択する。そこで、本処理はＯＫボタンが選択されたか否かを判断する（Ｓ１５３）。ＯＫボタンが選択されない場合には（Ｓ１５３：ＮＯ）、繰り返し判断を行う（Ｓ１５３）。ＯＫボタンが選択された場合には（Ｓ１５３：ＹＥＳ）、サーバ３へ接続し（Ｓ１５５）、接続が確立したら会員ＩＤ及びパスワードを送信する（Ｓ１５７）。
【０１５３】
サーバ３では、携帯電話側記録処理から会員ＩＤ及びパスワードを受信すると、サーバ側記録処理（図２２参照）が開始され、記録画面（図２０参照）を携帯電話２へ送信する（図２２：Ｓ４６９参照）。そこで、本処理は記録画面２４４を受信したか否かを確認する（Ｓ１５９）。記録画面２４４を受信しない場合には（Ｓ１５９：ＮＯ）、エラー画面を受信したかを判断し（Ｓ１７１）、エラー画面（図示外）を受信した場合には（Ｓ１７１：ＹＥＳ）、エラー画面を表示して（Ｓ１７３）、処理を終了する。所定時間（例えば、１分）受信を待っても、処理選択画面又はエラー画面のどちらも受信しない場合には（Ｓ１５９：ＮＯ、Ｓ１７１：ＮＯ）、タイムアウト処理をして本処理を終了する。
【０１５４】
記録画面２４４を受信した場合には（Ｓ１５９：ＹＥＳ）、記録画面２４４（図２０参照）を液晶ディスプレイ２４へ表示する（Ｓ１６１）。記録画面２４４が表示されると、審判員は試合結果をキー操作により入力し、ＯＫボタンを選択するので、ＯＫボタンが選択されたか否かを確認する（Ｓ１６３）。ＯＫボタンが選択された場合には（Ｓ１６３：ＹＥＳ）、ＯＫ情報及び入力された記録情報をサーバ３へ送信し（Ｓ１６５）、サーバ３から記録完了画面（図示外）を受信したか否かを判断する（Ｓ１６７）。記録完了画面を受信していない場合には（Ｓ１６９：ＮＯ）、繰り返し受信の確認を行う（Ｓ１６９）。そして、記録完了画面を受信した場合には（Ｓ１６９：ＹＥＳ）、記録完了画面を表示して（Ｓ１６９）、処理を終了する。Ｓ１６３にて、ＯＫボタンが選択されていない場合には（Ｓ１６３：ＮＯ）、キャンセルボタンが選択されているか否かを判断する（Ｓ１７５）。キャンセルボタンが選択されていない場合には（Ｓ１７５：ＮＯ）、Ｓ１６３へ戻り繰り返しＯＫボタンの選択の確認を行う。キャンセルボタンが選択されている場合には（Ｓ１７５：ＹＥＳ）、キャンセル情報をサーバ３へ送信し（Ｓ１７７）、サーバ３からキャンセル画面（図示外）を受信したか否かを判断する（Ｓ１７９）。キャンセル画面を受信していない場合には（Ｓ１７９：ＮＯ）、繰り返し受信の確認を行う（Ｓ１７９）。そして、キャンセル画面を受信した場合には（Ｓ１７９：ＹＥＳ）、キャンセル画面を表示して（Ｓ１８１）、処理を終了する。
【０１５５】
次に、図２２のフローチャートを参照して、サーバ３で行われるサーバ側記録処理について説明する。携帯電話２で実施されている記録処理プログラムにインターネット６を介して接続され、送信されてきた会員ＩＤ等を受信することを契機に開始される。
【０１５６】
まず、送信されてきた会員ＩＤが会員マスタ情報テーブル３８２１に登録されている有効なものであるか否かを判断する（Ｓ４６１）。会員ＩＤが有効でない場合には（Ｓ４６１：ＮＯ）、処理を行うことはできないので、会員ＩＤが有効でない旨を示すエラー画面を携帯電話２へ送信して（Ｓ４６３）、処理を終了する。会員ＩＤが有効である場合には（Ｓ４６１：ＹＥＳ）、送信されてきたパスワードが予め会員マスタ情報テーブル３８２１に登録されているものと一致するか否かを判断する（Ｓ４６５）。一致しない場合には（Ｓ４６５：ＮＯ）、処理を行うことはできないので、パスワードが一致しない旨を示すエラー画面を携帯電話２へ送信して（Ｓ４６７）、処理を終了する。
【０１５７】
パスワードが一致した場合には（Ｓ４６５：ＹＥＳ）、試合結果を入力する記録画面２４４（図２０参照）を携帯電話２へ送信する（Ｓ４６９）。そして、携帯電話２からＯＫ情報及び記録情報が送信されてきたか否かを判断する（Ｓ４７１）。ＯＫ情報及び記録情報が送信されてきた場合には（Ｓ４７１：ＹＥＳ）、競技情報テーブル３８３４及び競技者情報テーブル３８３３の該当する試合コードの勝敗欄及び内野数欄へ値をセットし、データ反映処理を行い（Ｓ４７３）、記録完了画面（図示外）を携帯電話２へ送信して（Ｓ４７５）、携帯電話２との接続を断ち、処理選択画面２４１で「競技一覧」が選択された際に閲覧されるホームページ用のデータを作成して（Ｓ４７７）、予めドッジボール大会情報記憶エリア３８３のメールアドレステーブル（図示外）に登録されているメールアドレスにメールを作成、送信して（Ｓ４７９）、処理を終了する。また、ＯＫ情報を受信していない場合には（Ｓ４７１：ＮＯ）、キャンセル情報を受信したか否かを判断する（Ｓ４８１）。キャンセル情報を受信した場合には（Ｓ４８１：ＹＥＳ）、キャンセル完了画面を送信して（Ｓ４８３）、携帯電話２との接続を断ち、処理を終了する。所定時間（例えば、１分）受信を待っても、ＯＫ情報、キャンセル情報のどちらも受信しない場合には（Ｓ４７１：ＮＯ、４８１：ＮＯ）、タイムアウトとして携帯電話２との接続を断ち、本処理を終了する。
【０１５８】
以上のようにして、携帯電話２で記録処理プログラムに従い操作を行うことにより、ドッヂボール大会への記録処理を行い、また、記録内容を競技一覧のホームページに更新したり、予め登録されているメールアドレスへ電子メールを送信したりことができる。尚、この電子メールは特定の競技者に係わる試合結果のみを受け取るようにしたり、競技模様のみを受け取るように設定したりしてもよい。
【０１５９】
次に、図２３乃至図２６を参照して「取材処理」について説明する。ここでは、携帯電話２を操作して前述した処理選択画面処理においてサーバ３からダウンロードした取材処理プログラムを起動させることにより、ドッヂボール大会の模様を、携帯電話２のカメラ２７で撮影した静止画像や動画、現場にいる人々のコメントにより取材し、サーバ３の取材情報テーブル３８３５へ登録が行われる。尚、本実施の形態では取材処理は係員のみが行う。
【０１６０】
図２３は、取材処理プログラムにより携帯電話２の液晶ディスプレイ２４に表示される取材画面２４５の画面イメージ図である。図２４は、ドッジボール大会情報記憶エリア３８３に記憶されている、ドッヂボール大会の模様の取材データが記憶された取材情報テーブル３８３５の模式図である。図２５は、携帯電話２で行われる携帯電話側取材処理のフローチャートである。図２６は、サーバ３で行われるサーバ側取材処理のフローチャートである。
【０１６１】
まず、図２３のイメージ図を参照して、取材画面２４５について説明する。この取材画面２４５は、係員が携帯電話２のプログラム選択画面（図示外）に表示されているプログラムの一覧の中から「取材処理プログラム」を選択することにより、ＣＰＵ２０が取材処理プログラムを実施する中で携帯電話２の液晶ディスプレイ２４に表示される、取材情報を入力する画面である。
【０１６２】
画面上部にどの競技大会の画面であるかを示すために、「第２０回  ドッヂボール大会  Ｈ１５．２．１１」と大会名及び開催日が表示されている。その下行には、取材処理の画面であることを示す「＊＊取材処理＊＊」が表示されている。そして、その下には、入力項目として、試合コード欄、画像欄及びコメント欄が設けられており、画面下部にはＯＫボタンおよびキャンセルボタンが設けられている。係員は、取材内容を入力したら、ＯＫボタンを選択し、取材を中止する場合には、キャンセルボタンを選択する。なお、画像欄の横には検索ボタンが設けられており、予めカメラ２７を使用して撮影され、ＥＥＰＲＯＭ２９３の画像情報記憶エリア２９３３に記憶されている画像データを検索し、画像欄にセットすることができる。
【０１６３】
次に、図２４の模式図を参照して、取材情報テーブル３８３５について説明する。取材情報テーブル３８３５は、ドッジボール大会情報記憶エリア３８３に記憶されおり、ドッヂボール大会の模様の取材データが記憶されている。この取材情報テーブル３８３５には、取材時刻欄、試合コード欄、取材者会員ＩＤ欄、ファイル名欄及びコメント欄が設けられている。取材時刻欄には取材データが記憶された時刻がセットされ、試合コード欄には取材画面２４５の試合コード欄に入力された試合コードがセットされ、取材者会員ＩＤ欄には取材処理を行った係員の会員ＩＤがセットされ、ファイル名欄には携帯電話２から送信されてきた画像データをサーバ３に記憶した際に付けられたファイル名がセットされ、コメント欄には取材画面２４５のコメント欄に入力されたデータがセットされる。尚、ファイル名の割り当て方は、例えば、日付４桁＋データ番号として、２月１１日の３番目に作成された取材データであれば「０２１１０００３」とする。
【０１６４】
図２４に示す例では、取材時刻欄が「９：３０」である取材データの試合コードには何も登録されておらず、取材者会員ＩＤは「１３５４８」であり、ファイル名は「０２１１０００１．ｇｉｆ」であり、コメント欄は「開会式の模様です。みんなやる気が漲っています。」である。取材時刻欄が「９：４５」である取材データの試合コードは「１００１」であり、取材者会員ＩＤは「１３９１２」であり、ファイル名は「０２１１０００２．ｖｃｄ」であり、コメント欄は「痛そう！！」である。取材時刻欄が「１０：２０」である取材データの試合コードは「０８０２」であり、取材者会員ＩＤは「１３２４６」であり、ファイル名は「０２１１０００３．ｖｃｄ」であり、コメント欄は「素早い動き。やったー！」である。以下の取材データは省略されている。
【０１６５】
次に、図２５のフローチャートを参照して、携帯電話２で行われる携帯電話側取材処理について説明する。この携帯電話側取材処理は、携帯電話２のプログラム選択画面（図示外）に表示されているプログラムの一覧の中から「取材処理プログラム」を選択することにより、ＣＰＵ２０が取材処理プログラムを実施して行われるものである。
【０１６６】
まず、パスワード入力画面（図示外）が表示される（Ｓ１１１）。このパスワード入力画面には、プログラム使用確保エリア２９３２に記憶されている会員ＩＤが表示され、パスワード入力項目及びＯＫボタンが設けられている。そこで、操作者は予め会員登録時に届け出ているパスワードを入力し、ＯＫボタンを選択する。そこで、本処理はＯＫボタンが選択されたか否かを判断する（Ｓ１１３）。ＯＫボタンが選択されない場合には（Ｓ１１３：ＮＯ）、繰り返し判断を行う（Ｓ１１３）。ＯＫボタンが選択された場合には（Ｓ１１３：ＹＥＳ）、サーバ３へ接続し（Ｓ１１５）、接続が確立したら会員ＩＤ及びパスワードを送信する（Ｓ１１７）。
【０１６７】
サーバ３では、携帯電話側取材処理から会員ＩＤ及びパスワードを受信すると、サーバ側取材処理（図２６参照）が開始され、取材画面（図２４参照）を携帯電話２へ送信する（図２６：Ｓ４３９参照）。そこで、本処理は取材画面２４５を受信したか否かを確認する（Ｓ１１９）。取材画面２４５を受信しない場合には（Ｓ１１９：ＮＯ）、エラー画面を受信したかを判断し（Ｓ１３１）、エラー画面（図示外）を受信した場合には（Ｓ１３１：ＹＥＳ）、エラー画面を表示して（Ｓ１３３）、処理を終了する。所定時間（例えば、１分）受信を待っても、処理選択画面又はエラー画面のどちらも受信しない場合には（Ｓ１１９：ＮＯ、Ｓ１３１：ＮＯ）、タイムアウト処理をして本処理を終了する。
【０１６８】
取材画面２４５を受信した場合には（Ｓ１１９：ＹＥＳ）、取材画面２４５（図２４参照）を液晶ディスプレイ２４へ表示する（Ｓ１２１）。取材画面２４５が表示されると、係員は取材情報を入力し、ＯＫボタンを選択するので、ＯＫボタンが選択されたか否かを確認する（Ｓ１２３）。ＯＫボタンが選択された場合には（Ｓ１２３：ＹＥＳ）、ＯＫ情報及び入力された取材情報をサーバ３へ送信し（Ｓ１２５）、サーバ３から取材完了画面（図示外）を受信したか否かを判断する（Ｓ１２７）。取材完了画面を受信していない場合には（Ｓ１２７：ＮＯ）、繰り返し受信の確認を行う（Ｓ１２７）。そして、取材完了画面を受信した場合には（Ｓ１２７：ＹＥＳ）、取材完了画面を表示して（Ｓ１２９）、処理を終了する。Ｓ１２３にて、ＯＫボタンが選択されていない場合には（Ｓ１２３：ＮＯ）、キャンセルボタンが選択されているか否かを判断する（Ｓ１３５）。キャンセルボタンが選択されていない場合には（Ｓ１３５：ＮＯ）、Ｓ１２３へ戻り繰り返しＯＫボタンの選択の確認を行う。キャンセルボタンが選択されている場合には（Ｓ１３５：ＹＥＳ）、キャンセル情報をサーバ３へ送信し（Ｓ１３７）、サーバ３からキャンセル画面（図示外）を受信したか否かを判断する（Ｓ１３９）。キャンセル画面を受信していない場合には（Ｓ１３９：ＮＯ）、繰り返し受信の確認を行う（Ｓ１３９）。そして、キャンセル画面を受信した場合には（Ｓ１３９：ＹＥＳ）、キャンセル画面を表示して（Ｓ１４１）、処理を終了する。
【０１６９】
次に、図２６のフローチャートを参照して、サーバ３で行われるサーバ側取材処理について説明する。携帯電話２で実施されている取材処理プログラムにインターネット６を介して接続され、送信されてきた会員ＩＤ等を受信することを契機に開始される。
【０１７０】
まず、送信されてきた会員ＩＤが会員マスタ情報テーブル３８２１に登録されている有効なものであるか否かを判断する（Ｓ４３１）。会員ＩＤが有効でない場合には（Ｓ４３１：ＮＯ）、処理を行うことはできないので、会員ＩＤが有効でない旨を示すエラー画面を携帯電話２へ送信して（Ｓ４３３）、処理を終了する。会員ＩＤが有効である場合には（Ｓ４３１：ＹＥＳ）、送信されてきたパスワードが予め会員マスタ情報テーブル３８２１に登録されているものと一致するか否かを判断する（Ｓ４３５）。一致しない場合には（Ｓ４３５：ＮＯ）、処理を行うことはできないので、パスワードが一致しない旨を示すエラー画面を携帯電話２へ送信して（Ｓ４３７）、処理を終了する。
【０１７１】
パスワードが一致した場合には（Ｓ４３５：ＹＥＳ）、試合結果を入力する取材画面２４５（図２４参照）を携帯電話２へ送信する（Ｓ４３９）。そして、携帯電話２からＯＫ情報及び取材情報が送信されてきたか否かを判断する（Ｓ４４１）。ＯＫ情報及び取材情報が送信されてきた場合には（Ｓ４４１：ＹＥＳ）、取材情報テーブル３８３５の取材時刻欄に現在の時刻をセットし、試合コード欄に取材画面２４５の試合コード欄に入力された試合コードをセットし、取材者会員ＩＤ欄に受信した会員ＩＤをセットし、受信した画像データにファイル名を割り当ててドッジボール大会情報記憶エリア３８３に記憶した後に、ファイル名をファイル名欄にセットし、取材画面２４５のコメント欄に入力されたデータをコメント欄にセットして、データ反映処理を行い（Ｓ４４３）、取材完了画面（図示外）を携帯電話２へ送信して（Ｓ４４５）、携帯電話２との接続を断ち、処理選択画面２４１で「競技模様」が選択された際に閲覧されるホームページ用のデータを作成して（Ｓ４４７）、予めドッジボール大会情報記憶エリア３８３のメールアドレステーブル（図示外）に登録されているメールアドレスにメールを作成、送信して（Ｓ４４９）、処理を終了する。また、ＯＫ情報を受信していない場合には（Ｓ４４１：ＮＯ）、キャンセル情報を受信したか否かを判断する（Ｓ４５１）。キャンセル情報を受信した場合には（Ｓ４５１：ＹＥＳ）、キャンセル完了画面を送信して（Ｓ４５３）、携帯電話２との接続を断ち、処理を終了する。所定時間（例えば、１分）受信を待っても、ＯＫ情報、キャンセル情報のどちらも受信しない場合には（Ｓ４４１：ＮＯ、４５１：ＮＯ）、タイムアウトとして携帯電話２との接続を断ち、本処理を終了する。
【０１７２】
以上のようにして、携帯電話２で取材処理プログラムに従い操作を行うことにより、ドッヂボール大会への取材処理を行い、また、取材内容を競技模様のホームページに更新したり、予め登録されているメールアドレスへ電子メールを送信したりことができる。
【０１７３】
次に、図２７乃至図２９を参照して「認証処理」について説明する。ここでは、携帯電話２を操作して前述した処理選択画面処理においてサーバ３からダウンロードした認証プログラムを起動させることにより、人物の認証が行われる。この認証処理は、特定の人間のみが入ることのできる場所、例えば審判員控え室、最優秀選手決定会議室などへの入室を係員が管理する際などに使用される。
【０１７４】
図２７は、認証処理プログラムにより携帯電話２の液晶ディスプレイ２４に表示される認証画面２４６の画面イメージ図である。図２８は、携帯電話２で行われる携帯電話側認証処理のフローチャートである。図２９は、サーバ３で行われるサーバ側認証処理のフローチャートである。
【０１７５】
次に、図２７の画面イメージ図を参照して、認証画面２４６について説明する。この認証画面２４６は、大会関係者が携帯電話２のプログラム選択画面（図示外）に表示されているプログラムの一覧の中から「認証処理プログラム」を選択することにより、ＣＰＵ２０が認証処理プログラムを実施した中で表示される画面である。
【０１７６】
画面上部にどの競技大会の画面であるかを示すために、「第２０回  ドッヂボール大会  Ｈ１５．２．１１」と大会名及び開催日が表示されている。その下行には、申込処理の画面であることを示す「＊＊認証処理＊＊」が表示されている。そして、その下には、会員ＩＤが「１３５４８」、名前が「黒須花子」、種別が「係員」と表示され、その下に顔写真が表示され、画面下部にはＯＫボタンが設けられている。ＯＫボタンを選択すると処理が終了する。
【０１７７】
次に、図２８のフローチャートを参照して、携帯電話２で行われる携帯電話側認証処理のフローチャートについて説明する。この携帯電話側認証処理は、認証を希望する会員が携帯電話２のプログラム選択画面（図示外）に表示されているプログラムの一覧の中から「認証処理プログラム」を選択することにより、ＣＰＵ２０が認証処理プログラムを実施して行われるものである。
【０１７８】
まず、パスワード入力画面（図示外）が表示される（Ｓ２０１）。このパスワード入力画面には、プログラム使用確保エリア２９３２に記憶されている会員ＩＤが表示され、パスワード入力項目及びＯＫボタンが設けられている。そこで、操作者は予め会員登録時に届け出ているパスワードを入力し、ＯＫボタンを選択する。そこで、本処理はＯＫボタンが選択されたか否かを判断する（Ｓ２０３）。ＯＫボタンが選択されない場合には（Ｓ２０３：ＮＯ）、繰り返し判断を行う（Ｓ２０３）。ＯＫボタンが選択された場合には（Ｓ２０３：ＹＥＳ）、サーバ３へ接続し（Ｓ２０５）、接続が確立したら会員ＩＤ及びパスワードを送信する（Ｓ２０７）。
【０１７９】
サーバ３では、携帯電話側認証処理から会員ＩＤ及びパスワードを受信すると、サーバ側認証処理（図２９参照）が開始され、認証画面２４６（図２７参照）を携帯電話２へ送信する（図２９：Ｓ４７９参照）。そこで、本処理は認証画面２４６を受信したか否かを確認する（Ｓ２０９）。認証画面２４６を受信しない場合には（Ｓ２０９：ＮＯ）、エラー画面を受信したかを判断し（Ｓ２１５）、エラー画面（図示外）を受信した場合には（Ｓ２１５：ＹＥＳ）、エラー画面を表示して（Ｓ２１７）、処理を終了する。所定時間（例えば、１分）受信を待っても、処理選択画面又はエラー画面のどちらも受信しない場合には（Ｓ２０９：ＮＯ、Ｓ２２９：ＮＯ）、タイムアウト処理をして本処理を終了する。認証画面２４６を受信した場合には（Ｓ２０９：ＹＥＳ）、認証画面２４６（図２７参照）を液晶ディスプレイ２４へ表示する（Ｓ２１１）。そして、ＯＫボタンが選択されたか否かを確認する（Ｓ２１３）。ＯＫボタンが選択された場合には（Ｓ２１３：ＹＥＳ）、処理を終了する。
【０１８０】
次に、図２９のフローチャートを参照して、サーバ３で行われるサーバ側認証処理のフローチャートについて説明する。携帯電話２で実施されている認証処理プログラムにインターネット６を介して接続され、送信されてきた会員ＩＤ等を受信することを契機に開始される。
【０１８１】
まず、送信されてきた会員ＩＤが会員マスタ情報テーブル３８２１に登録されている有効なものであるか否かを判断する（Ｓ４７１）。会員ＩＤが有効でない場合には（Ｓ４７１：ＮＯ）、処理を行うことはできないので、会員ＩＤが有効でない旨を示すエラー画面を携帯電話２へ送信して（Ｓ４７３）、処理を終了する。会員ＩＤが有効である場合には（Ｓ４７１：ＹＥＳ）、送信されてきたパスワードが予め会員マスタ情報テーブル３８２１に登録されているものと一致するか否かを判断する（Ｓ４７５）。一致しない場合には（Ｓ４７５：ＮＯ）、処理を行うことはできないので、パスワードが一致しない旨を示すエラー画面を携帯電話２へ送信して（Ｓ４７７）、処理を終了する。パスワードが一致した場合には（Ｓ４７５：ＹＥＳ）、受信した会員ＩＤ及び会員ＩＤに基づいて会員マスタ情報テーブル３８２１から取得した氏名又は名称、種別、画像データを載せた認証画面２４６（図２７参照）を携帯電話２へ送信して（Ｓ４７９）、携帯電話２との接続を断ち、本処理を終了する。
【０１８２】
以上のようにして、携帯電話２で認証処理プログラムに従い操作を行うことにより、認証処理を行うことができる。また、認証画面２４６には画像データが表示されているので、認証処理を行った係員により画像データと本人とを人の目により比較することによって、更なる認証を行うことができ、通信補助装置１を所有し、パスワードも知りえている成りすましの人間を識別することができる。
【０１８３】
以上説明したように、本実施の形態の競技大会運営システムでは、大会関係者は、予め競技大会主催者側から提供されている通信補助装置１を携帯電話２へ差し込むことにより、ドッヂボール大会ホームページのトップページ（処理選択画面２４１：図６参照）を携帯電話２へ表示して、大会運営上の処理である「申込処理」（競技大会申込処理システム）、「受付処理」（競技大会受付処理システム）、「記録処理」（競技大会記録処理システム）、「取材処理」（競技大会取材処理システム）及び「認証処理」（競技大会認証処理システム）を携帯電話２上で行う各プログラムをダウンロードしたり、競技大会関係の情報が掲載されたページへリンクすることができる。そして、ダウンロードした申込処理プログラムを起動することにより、競技大会への参加申込を行うことができ、受付処理プログラムを起動させることにより、競技大会当日の受付を行うことができ、記録処理プログラムを起動させることにより、競技結果の記録を行うことができ、取材処理プログラムを起動させることにより、競技模様の取材結果を登録することができ、認証プログラムを起動させることにより、大会関係者の認証を行うことができる。
【０１８４】
また、各処理プログラムは、大会関係者の種別によりダウンロードできるものが決まっており、処理プログラムを起動させる人物を限定することができる。また、各処理プログラムにはパスワードによる本人確認機能が設けられているので、ダウンロードされたプログラムを他人が起動させて、実施しようとしてもパスワード確認により排除される。
【０１８５】
尚、図３に示す携帯電話２の電気的構成を示すブロック図のＥＥＰＲＯＭ２９３のプログラム使用確保エリア２９３２が携帯情報端末の「第１特定情報記憶手段」として機能し、ＥＥＰＲＯＭ２９３のプログラム記憶エリア２９３１が携帯情報端末の「携帯情報端末側プログラム記憶手段」として機能し、ＣＰＵ２０が携帯情報端末の「プログラム実行手段」として機能する。また、図３に示す携帯電話２の電気的構成を示すブロック図の外部接続インターフェース２１が携帯情報端末の「通信補助情報受信手段」として機能し、無線通信デバイス２３携帯情報端末の「サーバ接続制御手段」として機能する。
【０１８６】
また、図２８に示す携帯電話側認証処理のフローチャートのＳ２０１及びＳ２０３の処理を実行するＣＰＵ２０が競技大会認証処理システムの携帯情報端末の「認証情報入力手段」に相当し、Ｓ２０７の処理を実行するＣＰＵ２０が携帯情報端末の「第１情報送信手段」に相当し、Ｓ２０９の処理を実行するＣＰＵ２０が携帯情報端末の「認証結果受信手段」に相当する。さらに、図１５に示す携帯電話側申込処理のフローチャートのＳ３１及びＳ３３の処理を実行するＣＰＵ２０が競技大会申込処理システムの携帯情報端末の「認証情報入力手段」に相当し、Ｓ４９の処理を実行するＣＰＵ２０が携帯情報端末の「申込完了情報受信手段」に相当する。また、図１８に示す携帯電話側受付処理のフローチャートのＳ７１及びＳ７３の処理を実行するＣＰＵ２０が競技大会受付処理システムの携帯情報端末の「認証情報入力手段」に相当し、Ｓ８７の処理を実行するＣＰＵ２０が携帯情報端末の「受付完了情報受信手段」に相当する。図２１に示す携帯電話側記録処理のフローチャートのＳ１５１及び１５３の処理を実行するＣＰＵ２０が競技大会記録処理システムの携帯情報端末の「認証情報入力手段」に相当し、Ｓ１５９の処理を実行するＣＰＵ２０が携帯情報端末の「競技結果入力画面情報受信手段」に相当し、Ｓ１６１の処理を実行するＣＰＵ２０が携帯情報端末の「競技結果入力画面表示手段」に相当し、Ｓ１６１〜１６３の処理を実行するＣＰＵ２０が携帯情報端末の「競技結果入力手段」に相当し、Ｓ１６５の処理を実行するＣＰＵ２０が携帯情報端末の「競技結果送信手段」に相当する。また、図２５に示す携帯情報端末側取材処理のフローチャートのＳ１１１及びＳ１１３の処理を実行するＣＰＵ２０が競技大会取材処理システムの携帯情報端末の「認証情報入力手段」に相当し、Ｓ１１９の処理を実行するＣＰＵ２０が携帯情報端末の「取材情報入力画面情報受信手段」に相当し、Ｓ１２１の処理を実行するＣＰＵ２０が携帯情報端末の「取材情報入力画面表示手段」に相当し、Ｓ１２１〜Ｓ１２３の処理を実行するＣＰＵ２０が携帯情報端末の「取材情報入力手段」に相当し、Ｓ１２５の処理を実行するＣＰＵ２０が携帯情報端末の「材情報送信手段」に相当する。
【０１８７】
また、図７に示す携帯電話側処理選択画面処理のフローチャートのＳ３の処理を実行するＣＰＵ２０が携帯情報端末の「第３特定情報送信手段」に相当し、Ｓ７の処理を実行するＣＰＵ２０が携帯情報端末の「選択画面表示手段」に相当し、Ｓ９の処理を実行するＣＰＵ２０が携帯情報端末の「選択手段」に相当し、Ｓ１１の処理を実行するＣＰＵ２０が携帯情報端末の「選択結果送信手段」に相当し、Ｓ１７の処理を実行するＣＰＵ２０が携帯情報端末の「プログラム受信手段」に相当する。
【０１８８】
また、ハードディスク装置３８の会員マスタ情報記憶エリア３８２に記憶されている会員マスタ情報テーブル３８２１（図５参照）がサーバの「第２特定情報記憶手段」、「認証情報記憶手段」、「種別記憶手段」及び「受付情報記憶手段」として機能する。また、ハードディスク装置３８のドッジボール大会情報記憶エリア３８３に記憶されている係員情報テーブル３８３１（図１１参照）、審判員情報テーブル３８３２（図１２参照）及び競技者情報テーブル３８３３（図１３参照）がサーバの「参加大会会員記憶手段」として機能する。ハードディスク装置３８のドッジボール大会情報記憶エリア３８３に記憶されている競技情報テーブル３８３４（図１４参照）がサーバの「競技情報記憶手段」として機能し、取材情報テーブル３８３５（図２４参照）がサーバの「取材情報記憶手段」として機能し、ハードディスク装置３８の会員マスタ情報記憶エリア３８２がサーバの「画像データ記憶手段」として機能し、ハードディスク装置３８の携帯電話用プログラム情報記憶エリア３８１がサーバの「サーバ側プログラム記憶手段」として機能する。
【０１８９】
また、図４に示すサーバ３の電気的構成を示すブロック図のルータ９２，ＬＡＮカード９１及びＩ／Ｏインターフェース３３がサーバの「第１情報受信手段」及び「第３特定情報受信手段」に相当する。また、図２９に示すサーバ側認証処理のフローチャートのＳ４７５の処理を実行するＣＰＵ３０がサーバの「認証判定手段」に相当し、Ｓ４７７及びＳ４７９の処理を実行するＣＰＵ３０がサーバの「認証結果送信手段」に相当し、Ｓ４７９の処理を実行するＣＰＵ３０がサーバの「画像データ送信手段」に相当する。
【０１９０】
また、図１６に示すサーバ側申込処理のフローチャートのＳ３６５の処理を実行するＣＰＵ３０がサーバの「申込認証判定手段」に相当し、Ｓ３７３の処理を実行するＣＰＵ３０がサーバの「申込手段」に相当し、Ｓ３７５の処理を実行するＣＰＵ３０がサーバの「申込完了情報送信手段」に相当する。図１９に示すサーバ側受付処理のフローチャートのＳ４０５の処理を実行するＣＰＵ３０がサーバの「受付認証判定手段」に相当し、Ｓ４１３の処理を実行するＣＰＵ３０がサーバの「受付手段」に相当し、Ｓ４１５の処理を実行するＣＰＵ３０がサーバの「受付完了情報送信手段」に相当する。図２２に示すサーバ側記録処理のフローチャートのＳ４６５の処理を実行するＣＰＵ３０がサーバの「記録認証判定手段」に相当し、Ｓ４６９の処理を実行するＣＰＵ３０がサーバの「競技結果入力画面情報送信手段」に相当し、Ｓ４７１の処理を実行するＣＰＵ３０がサーバの「競技結果受信手段」に相当し、Ｓ４７３の処理を実行するＣＰＵ３０がサーバの「競技結果反映手段」に相当し、Ｓ４７７の処理を実行するＣＰＵ３０がサーバの「競技結果ページ加工手段」及び「ページ加工手段」に相当し、Ｓ４７９の処理を実行するＣＰＵ３０がサーバの「競技結果メール加工手段」及び「メール加工手段」に相当する。
【０１９１】
また図２６に示すサーバ側取材処理のフローチャートのＳ４３５の処理を実行するＣＰＵ３０がサーバの「取材認証判定手段」に相当し、Ｓ４３９の処理を実行するＣＰＵ３０がサーバの「取材情報入力画面送信手段」に相当し、Ｓ４４１の処理を実行するＣＰＵ３０がサーバの「取材情報受信手段」に相当し、Ｓ４４７の処理を実行するＣＰＵ３０がサーバの「取材情報ページ加工手段」及び「ページ加工手段」に相当する。Ｓ４４９の処理を実行するＣＰＵ３０がサーバの「取材情報メール加工手段」及び「メール加工手段」に相当し、図８に示すサーバ側処理選択画面処理のフローチャートのＳ３０１の処理を実行するＣＰＵ３０がサーバの「特定情報判定手段」に相当し、Ｓ３０７の処理を実行するＣＰＵ３０がサーバの「選択画面情報送信手段」に相当し、Ｓ３０９の処理を実行するＣＰＵ３０がサーバの「選択結果受信手段」に相当し、Ｓ３１５，Ｓ３２１，Ｓ３２７，Ｓ３３３及びＳ３３９の処理を実行するＣＰＵ３０がサーバの「プログラム送信手段」に相当する。
【０１９２】
さらに、図９に示す処理選択画面作成処理フローチャートのＳ５０１〜Ｓ５１９の処理を実行するＣＰＵ３０がサーバの「処理決定手段」に相当し、Ｓ５０３，Ｓ５０９，Ｓ５１１，Ｓ５１７，Ｓ５１９の処理を実行するＣＰＵ３０がサーバの「選択画面情報作成手段」に相当する。また、通信補助装置のＲＯＭが通信補助装置の「接続指示信号記憶手段」として機能し、ＥＥＰＲＯＭが通信補助装置の「第３特定情報記憶手段」として機能する。図２に示す通信補助装置の外部接続コネクタ１２が通信補助装置の「出力手段」として機能する。
【０１９３】
尚、本発明は、以上詳述した実施の形態に限定されるものではなく、種々の変更が可能である。以下に、本発明を適用する実施の形態の変形例について説明する。本実施の形態では、競技大会としてドッジボール大会を例にあげたが、競技はドッジボールに限らず、バスケットボール、野球、マラソン、剣道、トライアスロン等様々なスポーツでよく、また、スポーツに限らず、囲碁、将棋、合唱、美容師技能等、様々な分野での競技であってもよい。また、係員情報テーブル３８３１、審判員情報テーブル３９３２、競技者情報テーブル３８３３、競技情報テーブル３８３４等のデータテーブルは本実施例の構造に限らず、実施する競技の形式に沿ったものとすればよい。
【０１９４】
上記実施の形態では、携帯情報端末として携帯電話２を用いたが、これは携帯電話に限らず、ネットワークを介してサーバ３に接続でき、プログラムを実行できるものであれば、ＰＤＡ（Ｐｅｒｓｏｎａｌ  Ｄｉｇｉｔａｌ  Ａｓｓｉｓｔａｎｔｓ）やＰＨＳ（Ｐｅｒｓｏｎａｌ  Ｈａｎｄｙｐｈｏｎｅ  Ｓｙｓｔｅｍ）等の他の携帯情報端末であってもよい。また、ネットワークはインターネット６に限らず、他のネットワークであってもよい。
【０１９５】
上記実施の形態では、各処理プログラムを別々のプログラムとしているが、１つのプログラムとしてもよい。例えば、登録携帯電話番号テーブルに登録されている電話番号の携帯電話２を用いて審判員がドッヂボール大会ホームページのトップページ（処理選択画面２４１：図６参照）に接続した場合、上記実施の形態では、申込処理プログラム、受付処理プログラム、記録処理プログラムの３つの処理プログラムをダウンロードすることができるが、申込処理、受付処理、記録処理のすべてを行うことができる１つのプログラムをダウンロードさせるようにしてもよい。
【０１９６】
また、上記実施の形態では、通信補助装置１を使用してドッヂボール大会ホームページのトップページ（処理選択画面２４１：図６参照）に接続しているが、これは、携帯電話２のＵＲＬ入力機能を用いてＵＲＬを入力して、サーバへ接続するようにしてもよい。ただし、この場合には、通信補助装置１からの会員ＩＤの送信が行われていないので、サーバ３は会員ＩＤを取得するために、会員ＩＤ入力画面を携帯電話２へ送信し、操作者に会員ＩＤを入力させ、入力された会員ＩＤ情報を受信しなければならない。
【０１９７】
また、上記実施の形態では、係員については電話番号のチェックを行っていないので、自身の携帯電話２で受付処理を行うことができる。そこで、係員についても電話番号のチェックを行い、登録携帯電話番号テーブルに登録されている電話番号のうち、自身の携帯電話２の電話番号以外の電話番号からの接続でなければ、受付処理プログラムをダウンロードでいないようにしてもよい。
【０１９８】
また、上記実施の形態では、会員が予め届け出たパスワードを使用して全ての処理の本人確認のチェックを行っているが、各処理毎に異なるパスワードを用いてもよい。また、パスワードは大会主催者側が割り当ててもよい。また、パスワードに有効期限を持たせてもよい。例えば、申込処理終了後、競技大会の当日にしか通用しないパスワードを申込をした会員へ知らせて、受付処理、記録処理、取材処理、又は、認証処理を大会当日しか実施できないようにしてもよい。
【０１９９】
また、上記実施の形態では、取材情報として、文字データによるコメント及び携帯電話２のカメラ２７で撮影された動画や静止画像を用いたが、携帯電話２に録音機能が付いていれば、録音された音声データを用いてもよい。
【０２００】
上記実施の形態では、記録処理において、記録画面２４４をサーバ３で生成して、携帯電話２へ送信しているが、サーバ３からパスワードの認証の結果を携帯電話２へ送信し、携帯電話２の記録処理プログラムで記録画面２４４を生成するようにしてもよい。また、取材処理において、取材画面２４５をサーバ３で生成して、携帯電話２へ送信しているが、サーバ３からパスワードの認証の結果を携帯電話２へ送信し、携帯電話２の取材処理プログラムで取材画面２４５を生成するようにしてもよい。また、携帯電話２の液晶ディスプレイ２４に表示される画面の構成や表示項目、入力項目は本実施例のものに限らず、競技に沿ったものとすればよい。
【０２０１】
【発明の効果】
以上説明したように、請求項１に係る発明の競技大会認証処理システムでは、携帯情報端末の第１特定情報記憶手段は、競技大会に参加する個人又はグループを特定するための情報である第１特定情報を記憶し、認証情報入力手段は、認証処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、認証結果受信手段は、サーバから送信された個人又はグループの認証結果を受信することができる。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、認証判定手段が判定した認証結果を携帯情報端末の認証結果受信手段へ送信することができる。したがって、携帯情報端末で認証処理プログラムを実行することにより、サーバと通信をして、特定情報及び認証情報により、携帯情報端末を操作している個人又はグループを認証することができる。
【０２０２】
また、請求項２に係る発明の競技大会認証処理システムでは、請求項１に記載の発明の効果に加えて、サーバの画像データ記憶手段は、第２特定情報に対応して、個人若しくはグループが写された画像データ又はグループを示す図柄が写された画像データを記憶し、画像データ送信手段は、認証判定手段で一致すると判定された場合に、認証判定手段で判定された第２特定情報に対応して画像データ記憶手段に記憶されている画像データを送信することができる。したがって、サーバが送信した画像データを携帯情報端末が受信し、表示することにより、特定情報及び認証情報による個人又はグループの認証だけでなく、人間の目により、携帯情報端末に表示されている画像データと認証の対象となっている人物を比較することができる。よって、認証がより確実なものとなる。また、認証情報を知りえた他人が不正に認証を受けようとした場合にも対処することができる。
【０２０３】
また、請求項３に係る発明の競技大会認証処理システムでは、請求項１又は２のいずれかに記載の発明の効果に加えて、第２特定情報及び第１特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２０４】
また、請求項４に係る発明の競技大会認証処理システムでは、請求項１乃至３のいずれかに記載の発明の効果に加えて、前記第１認証情報及び前記第２認証情報は、複数の文字若しくは数字から成るパスワードを用いることができる。したがって、パスワードの入力による認証を行うことができる。
【０２０５】
また、請求項５に係る発明の競技大会申込処理システムでは、携帯情報端末の第１特定情報記憶手段は、競技大会に参加する個人又はグループを特定するための情報である第１特定情報を記憶し、認証情報入力手段は、申込処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、申込完了情報受信手段は、サーバから送信された申込処理が完了したことを示す申込完了情報を受信することができる。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、申込認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、参加大会会員記憶手段は、競技大会に参加する個人又はグループである大会会員の第１特定情報が記憶されている参加大会会員情報を記憶し、申込手段は、申込認証判定手段で一致すると判定された場合に、参加大会会員記憶手段に記憶されている参加大会会員情報に第１情報受信手段が受信した第１特定情報を追加記憶し、申込完了情報送信手段は、申込手段による参加大会会員情報への追加記憶が行われた際に、申込完了情報を携帯情報端末の申込完了情報受信手段へ送信することができる。
【０２０６】
したがって、携帯情報端末で申込処理プログラムを実施することにより、サーバと通信をして、特定情報及び認証情報により携帯情報端末を操作している個人又はグループを認証した後に、その特定情報で特定される個人又はグループの競技大会の申込を受け付けることができる。
【０２０７】
また、請求項６に係る発明の競技大会申込処理システムでは、請求項５に記載の発明の効果に加えて、第２特定情報及び第１特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２０８】
また、請求項項７に係る発明の競技大会申込処理システムでは、請求項５又は６に記載の発明の効果に加えて、第２認証情報及び第１認証情報は、複数の文字若しくは数字から成るパスワードを用いることができる。したがって、パスワードの入力による認証を行うことができる。
【０２０９】
また、請求項８に係る発明の競技大会受付処理システムでは、携帯情報端末の第１特定情報記憶手段は、競技大会に参加する個人又はグループを特定するための情報である第１特定情報を記憶し、認証情報入力手段は、受付処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、受付完了情報受信手段は、サーバから送信された受付処理が完了したことを示す受付完了情報を受信することができる。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、受付認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、受付情報記憶手段は、競技大会に関係する個人又はグループである大会会員が受付処理を行ったか否かの情報が、第２特定情報に対応して記憶されている受付情報を記憶し、受付手段は、受付認証判定手段で一致すると判定された場合に、受付認証判定手段で判定された第２特定情報及び第１特定情報に対応して受付情報記憶手段に記憶されている受付情報に、受付処理が行われたことを記憶し、受付完了情報送信手段は、受付手段による受付情報への記憶が行われた際に、受付完了情報を携帯情報端末の受付完了情報受信手段へ送信することができる。
【０２１０】
したがって、携帯情報端末で受付処理プログラムを実施することにより、サーバと通信をして、特定情報及び認証情報により携帯情報端末を操作している個人又はグループを認証した後に、その特定情報で特定される個人又はグループの競技大会の当日の受付処理を行うことができる。
【０２１１】
また、請求項９に係る発明の競技大会受付処理システムでは、請求項８に記載の発明の効果に加えて、第２特定情報及び第１特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２１２】
また、請求項１０に係る発明の競技大会受付処理システムでは、請求項８又は９に記載の発明の効果に加えて、第２認証情報及び第１認証情報は、複数の文字若しくは数字から成るパスワードを用いることができる。したがって、パスワードの入力による認証を行うことができる。
【０２１３】
また、請求項１１に係る発明の競技大会記録処理システムでは、携帯情報端末の第１特定情報記憶手段は、競技大会に参加する個人又はグループを特定するための情報である第１特定情報を記憶し、認証情報入力手段は、記録処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、競技結果入力画面情報受信手段は、競技の結果である競技結果を入力する競技結果入力画面を表示するための競技情報入力画面情報をサーバから受信し、競技結果入力画面表示手段は、競技結果入力画面情報受信手段が受信した競技結果入力画面情報に基づいて競技結果入力画面を表示し、競技結果入力手段は、競技結果入力画面表示手段が表示している競技結果入力画面に競技結果を入力し、競技結果送信手段は、競技結果入力手段で入力された競技結果をサーバへ送信することができる。また、サーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、第１情報送信手段から送信された第１認証情報と第１特定情報とを受信し、記録認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、競技結果入力画面情報送信手段は、記録認証判定手段が一致すると判定した場合に、競技結果入力画面情報を競技結果入力画面情報受信手段へ送信し、競技情報記憶手段は、競技大会の競技に関する情報であり、少なくとも競技結果を含む競技情報を記憶し、競技結果受信手段は、競技結果送信手段から送信された競技結果を受信し、競技結果反映手段は、競技結果受信手段が受信した競技結果を競技情報記憶手段に追加記憶することができる。
【０２１４】
したがって、携帯情報端末で申込処理プログラムを実施することにより、サーバと通信をして、特定情報及び認証情報により、携帯情報端末を操作している個人又はグループを認証した後に、その特定情報の個人又はグループが携帯情報端末上で入力した競技大会の競技情報を登録することができる。
【０２１５】
また、請求項１２に係る発明の競技大会記録処理システムでは、請求項１１に記載の発明の効果に加えて、第２特定情報及び第１特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２１６】
また、請求項１３に係る発明の競技大会記録処理システムでは、請求項１１又は１２に記載の発明の効果に加えて、第２認証情報及び第１認証情報は、複数の文字若しくは数字から成るパスワードを用いることができる。したがって、パスワードの入力による認証を行うことができる。
【０２１７】
また、請求項１４に係る発明の競技大会記録処理システムでは、請求項１１乃至１３のいずれかに記載の発明の効果に加えて、サーバの競技結果ページ加工手段は、競技結果をインターネット上で閲覧可能なホームページデータに加工することができる。したがって、競技大会の結果をインターネット上に公開することができる。
【０２１８】
また、請求項１５に係る発明の競技大会記録処理システムでは、請求項１１乃至１４のいずれかに記載の発明の効果に加えて、サーバの競技結果メール加工手段は、競技結果を予め登録されているメールアドレスへインターネットを介して配信可能な電子メールデータへ加工することができる。したがって、競技大会の結果を電子メールで受け取ることができる。
【０２１９】
また、請求項１６に係る発明の競技大会取材システムでは、携帯情報端末の第１特定情報記憶手段は、競技大会に参加する個人又はグループを特定するための情報である第１特定情報を記憶し、認証情報入力手段は、取材処理プログラムの指示により、個人又はグループを認証するための第１認証情報を入力し、第１情報送信手段は、認証情報入力手段で入力された第１認証情報及び第１特定情報記憶手段に記憶された第１特定情報をサーバへ送信し、認証結果受信手段は、サーバから送信された個人又はグループの認証結果を受信し、取材情報入力画面情報受信手段は、取材情報を入力する取材情報入力画面を表示するための取材情報入力画面情報をサーバから受信し、取材情報入力画面表示手段は、取材情報入力画面情報受信手段が受信した取材情報入力画面情報に基づいて取材情報入力画面を表示し、取材情報入力手段は、取材情報入力画面表示手段が表示している取材情報入力画面情報に取材情報を入力し、取材情報送信手段は、取材情報入力手段で入力された取材情報をサーバへ送信することができる。また、サーバの第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末の第１情報送信手段から送信された第１認証情報と第１特定情報とを受信し、取材認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、取材情報入力画面送信手段は、取材認証判定手段が一致すると判定した場合に、取材情報入力画面情報を携帯情報端末の前取材情報入力画面受信手段へ送信し、取材情報受信手段は、携帯情報端末の取材情報送信手段から送信された取材情報を受信し、取材情報記憶手段は、取材情報受信手段が受信した取材情報を記憶することができる。
【０２２０】
したがって、携帯情報端末で取材処理プログラムを実施することにより、サーバと通信をして、特定情報及び認証情報により、携帯情報端末を操作している個人又はグループを認証した後に、携帯情報端末で入力された競技大会の取材情報を、サーバに登録することができる。
【０２２１】
また、請求項１７に係る発明の競技大会取材処理システムでは、請求項１６に記載の発明の効果に加えて、第２特定情報及び第１特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２２２】
また、請求項１８に係る発明の競技大会取材処理システムでは、請求項１６又は１７に記載の発明の効果に加えて、第２認証情報及び第１認証情報は、複数の文字若しくは数字から成るパスワードを用いることができる。したがって、パスワードの入力による認証を行うことができる。
【０２２３】
また、請求項１９に係る発明の競技大会取材処理システムでは、請求項１６乃至１８のいずれかに記載の発明の効果に加えて、取材情報は、文字データ、画像データ、動画データ又は音声データのうちの少なくとも１つを用いることができる。したがって、競技大会の模様を文字データ、画像データ、動画データ又は音声データで登録することができる。
【０２２４】
また、請求項２０に係る発明の競技大会取材処理システムでは、請求項１６乃至１９のいずれかに記載の発明の効果に加えて、サーバの取材情報ページ加工手段は、取材情報をインターネット上で閲覧可能なホームページデータに加工することができる。したがって、競技大会の模様を取材した取材情報をインターネット上に公開することができる。
【０２２５】
また、請求項２１に係る発明の競技大会取材処理システムでは、請求項１６乃至２０のいずれかに記載の発明の効果に加えて、サーバの取材情報メール加工手段は、取材情報を予め登録されているメールアドレスへインターネットを介して配信可能な電子メールデータへ加工することができる。したがって、競技大会の模様を取材した取材情報を電子メールで受取ることができる。
【０２２６】
また、請求項２２に係る発明の競技大会運営システムでは、サーバの第２特定情報記憶手段は、競技大会に参加する個人又はグループを特定するための情報である第２特定情報を記憶し、種別記憶手段は、第２特定情報記憶手段に記憶されている第２特定情報に対応して、その個人又はグループが少なくとも競技者又はスタッフのいずれかであるかの種別を記憶し、サーバ側プログラム記憶手段は、競技大会の運営のために、携帯情報端末上で実行される携帯情報端末プログラムを記憶し、第３特定情報受信手段は、携帯情報端末から送信された、競技大会に参加する個人又はグループを特定するための情報である第３特定情報を受信し、特定情報判定手段は、第３特定情報受信手段が受信した第３特定情報が予め第２特定情報記憶手段に記憶されている第２特定情報と一致するか否かを判定し、処理決定手段は、特定情報判定手段で一致すると判定された場合に、１つ又は複数の処理から１つの処理を選択可能な選択画面で選択肢となる処理を、種別記憶手段で第３特定情報に対応して記憶されている種別により決定し、選択画面情報作成手段は、処理決定手段が決定した処理を選択肢とした選択画面を表示するための選択画面情報を作成し、選択画面情報送信手段は、選択画面情報作成手段が作成した選択画面情報を携帯情報端末へ送信し、選択結果受信手段は、携帯情報端末において選択画面で選択され、送信された選択結果を受信し、プログラム送信手段は、選択結果受信手段が受信した選択結果に基づいてサーバ側プログラム記憶手段に記憶されている携帯情報端末プログラムを携帯情報端末へ送信することができる。また、通信補助装置の接続指示信号記憶手段は、サーバに接続することを携帯情報端末に指示する接続指示信号を記憶し、第３特定情報記憶手段は、第３特定情報を記憶し、出力手段は、接続指示信号記憶手段に記憶されている接続指示信号及び第３特定情報記憶手段に記憶されている第３特定情報を携帯情報端末へ出力することができる。また、携帯情報端末の通信補助情報受信手段は、出力手段から出力された接続指示信号及び第３特定情報を受信し、サーバ接続制御手段は、通信補助情報受信手段が受信した接続指示信号に従い、サーバへネットワークを介して接続し、第３特定情報送信手段は、通信補助情報受信手段が受信した第３特定情報をサーバの第３特定情報受信手段へ送信し、選択画面表示手段は、サーバの選択画面情報送信手段から送信された選択画面情報に基づいて選択画面を表示し、選択手段は、選択画面表示手段が表示している選択画面において選択肢となっている処理から１つの処理を選択し、選択結果送信手段は、選択手段で選択された選択結果をサーバの選択結果受信手段へ送信し、プログラム受信手段は、サーバのプログラム送信手段から送信された携帯情報端末プログラムを受信し、携帯情報端末側プログラム記憶手段は、プログラム受信手段が受信した携帯情報端末プログラムを記憶し、プログラム実行手段は、携帯情報端末側プログラム記憶手段に記憶されている携帯情報端末プログラムを実行することができる。
【０２２７】
したがって、通信補助装置を差し込むことにより、携帯情報端末が自動でサーバへ接続して、携帯情報端末に処理選択画面が表示されるので、処理選択画面を表示させるためのＵＲＬを入力したり、特定情報を入力する手間がない。また、処理選択画面の選択肢から処理を選択するだけで、各処理のプログラムをダウンロードすることができるので、新しい処理プログラムのダウンロードを開始する場合には、処理選択画面の選択肢を増やすだけでよく、処理プログラムを削除する場合には、選択肢から削除すればよい。また、種別は競技者又はスタッフの２種類に限られず、スタッフであれば記録係、審判員、ライン係、受付係、アナウンス係等、競技者であれば、責任者、キャプテン、選手、補欠等やポジション別にさらに細分化した種別を設けてもよい。また、種別により処理選択画面に選択肢として表示される処理を決定することができるので、処理に対して、その処理を行うことができる個人又はグループに制約を持たせることができる。
【０２２８】
また、請求項２３に係る発明の競技大会運営システムでは、請求項２２に記載の発明の効果に加えて、第２特定情報及び第３特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２２９】
また、請求項２４に係る発明の競技大会運営システムでは、請求項２２又は２３に記載の発明の効果に加えて、携帯情報端末プログラムは、請求項１乃至４に記載の認証処理プログラム、請求項５乃至７に記載の申込処理プログラム、請求項８乃至１０に記載の受付処理プログラム、請求項１１乃至１５に記載の記録処理プログラム、又は、請求項１６乃至２１に記載の取材処理プログラムのうちの少なくとも１つを用いることができる。したがって、処理選択画面から認証処理プログラム、申込処理プログラム、受付処理プログラム、記録処理プログラム、取材処理プログラムをダウンロードすることができる。
【０２３０】
また、請求項２５に係る発明のサーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された第１認証情報と第１特定情報とを受信し、認証判定手段は、第１情報受信手段が受信した個人又はグループを認証するための第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、認証判定手段が判定した認証結果を携帯情報端末へ送信することができる。したがって、携帯情報端末上で動作している認証プログラムの実行により携帯情報端末から送信されてきた第１特定情報及び第１認証情報により、サーバは携帯情報端末を使用している個人又はグループを認証して、その結果を携帯情報端末に返すことができる。
【０２３１】
また、請求項２６に係る発明のサーバでは、請求項２５に記載の発明の効果に加えて、画像データ記憶手段は、第２特定情報に対応して、個人若しくはグループが写された画像データ又はグループを示す図柄が写された画像データを記憶し、画像データ送信手段は、認証判定手段で一致すると判定された場合に、認証判定手段で判定された第２特定情報に対応して画像データ記憶手段に記憶されている画像データを送信することができる。したがって、携帯情報端末を使用している個人又はグループを認証した場合には、その画像データを携帯情報端末に送信することができる。
【０２３２】
また、請求項２７に係る発明のサーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された第１認証情報と第１特定情報とを受信し、申込認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、参加大会会員記憶手段は、競技大会に参加する個人又はグループである大会会員の第１特定情報が記憶されている参加大会会員情報を記憶し、申込手段は、申込認証判定手段で一致すると判定された場合に、参加大会会員記憶手段に記憶されている参加大会会員情報に第１情報受信手段が受信した第１特定情報を追加記憶し、申込完了情報送信手段は、申込手段による参加大会会員情報への追加記憶が行われた際に、申込完了情報を携帯情報端末へ送信することができる。したがって、携帯情報端末上で動作している申込処理プログラムからの指示により送信されてきた特定情報及び認証情報によって、携帯情報端末を操作している個人又はグループを認証した後に、その特定情報で特定される個人又はグループの競技大会への参加の申し込みを受け付けることができる。
【０２３３】
また、請求項２８に係る発明のサーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、受付認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、受付情報記憶手段は、競技大会に関係する個人又はグループである大会会員が受付処理を行ったか否かの情報が、第２特定情報に対応して記憶されている受付情報を記憶し、受付手段は、受付認証判定手段で一致すると判定された場合に、受付認証判定手段で判定された第２特定情報及び第１特定情報に対応して受付情報記憶手段に記憶されている受付情報に、受付処理が行われたことを記憶し、受付完了情報送信手段は、受付手段による受付情報記憶手段に記憶されている受付情報への記憶が行われた際に、受付完了情報を携帯情報端末へ送信することができる。
【０２３４】
したがって、携帯情報端末上で動作している受付処理プログラムからの指示により送信されてきた特定情報及び認証情報によって、携帯情報端末を操作している個人又はグループを認証した後に、その特定情報で特定される個人又はグループが当日、競技大会の会場へ来たことの受付を行うことができる。
【０２３５】
また、請求項２９に係る発明のサーバは、第２特定情報記憶手段は、競技大会に参加する個人又はグループを特定するための情報である第２特定情報を記憶し、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、記録認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、認証結果送信手段は、記録認証判定手段が判定した認証結果を携帯情報端末へ送信し、競技情報記憶手段は、競技大会の競技に関する情報であり、少なくとも競技結果を含む競技情報を記憶し、競技結果受信手段は、競技結果送信手段から送信された競技結果を受信し、競技結果反映手段は、競技結果受信手段が受信した競技結果を競技情報記憶手段に追加記憶することができる。
【０２３６】
したがって、携帯情報端末上で動作している記録処理プログラムからの指示により送信されてきた特定情報及び認証情報によって、携帯情報端末を操作している個人又はグループを認証した後に、その特定情報で特定される個人又はグループが携帯情報端末上で入力した競技大会の競技情報を登録することができる。
【０２３７】
また、請求項３０に係る発明のサーバは、認証情報記憶手段は、第２特定情報に対応して、個人又はグループを認証するための第２認証情報を記憶し、第１情報受信手段は、携帯情報端末から送信された個人又はグループを認証するための第１認証情報と第１特定情報とを受信し、取材認証判定手段は、第１情報受信手段が受信した第１特定情報が、第２特定情報記憶手段に予め記憶されている第２特定情報と一致する場合には、第１情報受信手段が受信した第１認証情報が、第２特定情報に対応して認証情報記憶手段に予め記憶されている第２認証情報と一致するか否かを判定し、取材情報受信手段は、取材情報送信手段から送信された取材情報を受信し、取材情報記憶手段は、取材情報受信手段が受信した取材情報を記憶することができる。したがって、携帯情報端末上で動作している記録処理プログラムからの指示により送信されてきた特定情報及び認証情報によって、携帯情報端末を操作している個人又はグループを認証した後に、その特定情報で特定される個人又はグループが携帯情報端末上で入力した競技大会の取材情報を、サーバに登録することができる。
【０２３８】
また、請求項３１に係る発明のサーバは、第２特定情報記憶手段は、競技大会に参加する個人又はグループを特定するための情報である第２特定情報を記憶し、種別記憶手段は、第２特定情報記憶手段に記憶されている第２特定情報に対応して、その個人又はグループが少なくとも競技者又はスタッフのいずれかであるかの種別を記憶し、サーバ側プログラム記憶手段は、競技大会の運営のために、携帯情報端末上で実行される携帯情報端末プログラムを記憶し、第３特定情報受信手段は、携帯情報端末から送信された、競技大会に参加する個人又はグループを特定するための情報である第３特定情報を受信し、特定情報判定手段は、第３特定情報受信手段が受信した第３特定情報が予め第２特定情報記憶手段に記憶されている第２特定情報と一致するか否かを判定し、処理決定手段は、特定情報判定手段で一致すると判定された場合に、１つ又は複数の処理から１つの処理を選択可能な選択画面で選択肢となる処理を、種別記憶手段で第１特定情報に対応して記憶されている種別により決定し、選択画面情報作成手段は、処理決定手段が決定した処理を選択肢とした選択画面を表示するための選択画面情報を作成し、選択画面情報送信手段は、選択画面情報作成手段が作成した選択画面情報を携帯情報端末へ送信し、選択結果受信手段は、携帯情報端末において選択画面で選択され、送信された選択結果を受信し、プログラム送信手段は、選択結果受信手段が受信した選択結果に基づいてサーバ側プログラム記憶手段に記憶されている携帯情報端末プログラムを携帯情報端末へ送信することができる。
【０２３９】
したがって、携帯情報端末に表示するための処理選択画面を作成し、その処理選択画面で洗濯された処理を実施する携帯情報端末プログラムを携帯情報端末へ送信することができる。また、種別は競技者又はスタッフの２種類に限られず、スタッフであれば記録係、審判員、ライン係、受付係、アナウンス係等、競技者であれば、責任者、キャプテン、選手、補欠等やポジション別にさらに細分化した種別を設けてもよい。また、種別により処理選択画面に選択肢として表示される処理を決定することができるので、処理に対して、その処理を行うことができる個人又はグループに制約を持たせることができる。
【０２４０】
また、請求項３２に係る発明のサーバでは、請求項３０に記載の発明の効果に加えて、取材情報は、文字データ、画像データ、動画データ又は音声データのうちの少なくとも１つを用いることができる。したがって、競技大会の模様を文字データ、画像データ、動画データ又は音声データで登録することができる。
【０２４１】
また、請求項３３に係る発明のサーバでは、請求項２９又は３０に記載の発明の効果に加えて、ページ加工手段は、競技結果又は取材結果をインターネット上で閲覧可能なホームページデータに加工することができる。したがって、競技大会の模様を取材した取材情報をインターネット上に公開することができる。
【０２４２】
また、請求項３４に係る発明のサーバでは、請求項２９又は３０に記載の発明の効果に加えて、メール加工手段は、競技結果又は取材結果を予め登録されているメールアドレスへインターネットを介して配信可能な電子メールデータへ加工することができる。したがって、競技大会の模様を取材した取材情報を電子メールで受取ることができる。
【０２４３】
また、請求項３５に係る発明のサーバでは、請求項２５乃至３１のいずれかに記載の発明の効果に加えて、第１特定情報、第２特定情報及び第３特定情報は、個人の氏名、グループの名称又は個人若しくはグループ毎に割り当てられたＩＤ記号の内の少なくとも１つを用いることができる。したがって、個人の氏名、グループの名称又は個人若しくはグループ毎に割り当てられたＩＤ記号で個人又はグループを特定することができる。
【０２４４】
また、請求項３６に係る発明のサーバでは、請求項２５乃至３０のいずれかに記載の発明の効果に加えて、第２認証情報及び第１認証情報は、複数の文字若しくは数字から成るパスワードを用いることができる。したがって、パスワードの入力による認証を行うことができる。
【０２４５】
また、請求項３７に係る発明のサーバでは、請求項３１に記載の発明の効果に加えて、携帯情報端末プログラムは、請求項２５に記載の認証処理プログラム、請求項２７に記載の申込処理プログラム、請求項２８に記載の受付処理プログラム、請求項２９に記載の記録処理プログラム、又は、請求項３０に記載の取材処理プログラムのうちの少なくとも１つを用いることができる。したがって、認証処理プログラム、申込処理プログラム、受付処理プログラム、記録処理プログラム、取材処理プログラムを携帯情報端末へダウンロードすることができる。
【図面の簡単な説明】
【図１】図１は、本実施の形態の競技大会運営システムの構成図である。
【図２】図２は、携帯電話２へ通信補助装置１を接続した状態の通信補助装置１及び携帯電話２の斜視図である。
【図３】図３は、携帯電話２の電気的構成を示すブロック図である。
【図４】図４は、サーバ３の電気的構成を示すブロック図である。
【図５】図５は、会員マスタ情報記憶エリア３８２に記憶されている会員マスタ情報テーブル３８２１の模式図である。
【図６】図６は、審判員に対する大会ホームページのトップページである処理選択画面２４１の画面イメージ図である。
【図７】図７は、携帯電話２で行われる処理選択画面処理のフローチャートである。
【図８】図８は、サーバ３で行われる処理選択画面処理のフローチャートである。
【図９】図９は、サーバ３で行われるより選択画面処理の中で行われる処理選択画面作成処理のフローチャートである。
【図１０】図１０は、申込処理プログラムにより携帯電話２の液晶ディスプレイ２４に表示される申込処理画面２４２の画面イメージ図である。
【図１１】図１１は、ドッジボール大会情報記憶エリア３８３に記憶されている、ドッヂボール大会に参加する係員の情報が記憶された係員情報テーブル３８３１の模式図である。
【図１２】図１２は、ドッジボール大会情報記憶エリア３８３に記憶されている、ドッヂボール大会に参加する審判員の情報が記憶された審判員情報テーブル３８３２の模式図である。
【図１３】図１３は、ドッジボール大会情報記憶エリア３８３に記憶されている、ドッヂボール大会に参加する競技者の情報が記憶された競技者情報テーブル３８３３の模式図である。
【図１４】図１４は、ドッジボール大会情報記憶エリア３８３に記憶されている、ドッヂボール大会の試合の試合コードや担当係員の会員ＩＤ等の競技に関する情報が記憶さた競技情報テーブル３８３４の模式図である。
【図１５】図１５は、携帯電話２で行われる携帯電話側申込処理のフローチャートである。
【図１６】図１６は、サーバ３で行われるサーバ側申込処理のフローチャートである。
【図１７】図１７は、申込処理プログラムにより携帯電話２の液晶ディスプレイ２４に表示される受付内容画面２４３の画面イメージ図である。
【図１８】図１８は、携帯電話２で行われる携帯電話側受付処理のフローチャートである。
【図１９】図１９は、サーバ３で行われるサーバ側受付処理のフローチャートである。
【図２０】図２０は、記録処理プログラムにより携帯電話２の液晶ディスプレイ２４に表示される記録画面２４４の画面イメージ図である。
【図２１】図２１は、携帯電話２で行われる携帯電話側記録処理のフローチャートである。
【図２２】図２２は、サーバ３で行われるサーバ側記録処理のフローチャートである。
【図２３】図２３は、取材処理プログラムにより携帯電話２の液晶ディスプレイ２４に表示される取材画面２４５の画面イメージ図である。
【図２４】図２４は、ドッジボール大会情報記憶エリア３８３に記憶されている、ドッヂボール大会の模様の取材データが記憶された取材情報テーブル３８３５の模式図である。
【図２５】図２５は、携帯電話２で行われる携帯電話側取材処理のフローチャートである。
【図２６】図２６は、サーバ３で行われるサーバ側取材処理のフローチャートである。
【図２７】図２７は、認証処理プログラムにより携帯電話２の液晶ディスプレイ２４に表示される認証画面２４６の画面イメージ図である。
【図２８】図２８は、携帯電話２で行われる携帯電話側認証処理のフローチャートである。
【図２９】図２９は、サーバ３で行われるサーバ側認証処理のフローチャートである。
【符号の説明】
１  通信補助装置
２  携帯電話
６  インターネット
２０  ＣＰＵ
２４  液晶ディスプレイ
２７  カメラ
２８  操作ボタン群
３０  ＣＰＵ
３３  Ｉ／Ｏインターフェース
３８  ハードディスク装置
９１  ＬＡＮカード
９２  ルータ
２４１  処理選択画面
２４４  記録画面
２４５  取材画面
２９３  ＥＥＰＲＯＭ
３８０  ホームページ関連情報記憶エリア
３８１  携帯電話用プログラム情報記憶エリア
３８２  会員マスタ情報記憶エリア
３８３  ドッジボール大会情報記憶エリア
２９３１  プログラム記憶エリア
２９３２  プログラム使用確保エリア
３８２１  会員マスタ情報テーブル
３８３１  係員情報テーブル
３８３２  審判員情報テーブル
３８３３  競技者情報テーブル
３８３４  競技情報テーブル
３８３５  取材情報テーブル
【図１】
2004240602.tif 000003
【図２】
2004240602.tif 000004
【図３】
2004240602.tif 000005
【図４】
2004240602.tif 000006
【図５】
2004240602.tif 000007
【図６】
2004240602.tif 000008
【図７】
2004240602.tif 000009
【図８】
2004240602.tif 000010
【図９】
2004240602.tif 000011
【図１０】
2004240602.tif 000012
【図１１】
2004240602.tif 000013
【図１２】
2004240602.tif 000014
【図１３】
2004240602.tif 000015
【図１４】
2004240602.tif 000016
【図１５】
2004240602.tif 000017
【図１６】
2004240602.tif 000018
【図１７】
2004240602.tif 000019
【図１８】
2004240602.tif 000020
【図１９】
2004240602.tif 000021
【図２０】
2004240602.tif 000022
【図２１】
2004240602.tif 000023
【図２２】
2004240602.tif 000024
【図２３】
2004240602.tif 000025
【図２４】
2004240602.tif 000026
【図２５】
2004240602.tif 000027
【図２６】
2004240602.tif 000028
【図２７】
2004240602.tif 000029
【図２８】
2004240602.tif 000030
【図２９】
2004240602.tif 000031